(57)【要約】  高圧機器のためのシールアッセンブリが開示されており、それは、ヘッドおよびヘッドから延在するエクステンションを有するバックアップリングを含むことが可能である。エクステンションは、ヘッドから離れるように軸線方向に、および、ヘッドから半径方向内向きに延在する内部表面を含むことが可能である。また、シールアッセンブリは、ジャケットを有するスプリングエネルギー式シールを含むことが可能であり、ジャケットは、環状スプリングを備えたシーリング部分を有しており、環状スプリングは、ジャケットのシーリング部分の中に配設されている。ジャケットの少なくとも一部分は、バックアップリングのエクステンションの周りにフィットしており、バックアップリングは、最小内径ＩＤＢＵＲを有しており、スプリングエネルギー式シールは、最小内径ＩＤＳＥＳを有しており、ＩＤＳＥＳは、ＩＤＢＵＲよりも小さい。
2021530641.tif 000002
【特許請求の範囲】
【請求項１】
高圧ポンプのためのシールアッセンブリであって、前記シールアッセンブリは、
ヘッドおよび前記ヘッドから延在するエクステンションを有するバックアップリングであって、前記エクステンションは、前記ヘッドから離れるように軸線方向に、および、前記ヘッドから半径方向内向きに延在する内部表面を含む、バックアップリングと；
ジャケットを有するスプリングエネルギー式シールであって、前記ジャケットは、環状スプリングを備えたシーリング部分を有しており、前記環状スプリングは、前記ジャケットの前記シーリング部分の中に配設されており、前記ジャケットの少なくとも一部分は、前記バックアップリングの前記エクステンションの周りにフィットしており、前記バックアップリングは、最小内径ＩＤＢＵＲを有しており、前記スプリングエネルギー式シールは、最小内径ＩＤＳＥＳを有しており、ＩＤＳＥＳは、ＩＤＢＵＲよりも小さい、スプリングエネルギー式シールと
を含む、シールアッセンブリ。
【請求項２】
高圧ポンプのためのシールアッセンブリであって、前記シールアッセンブリは、
ヘッドおよび前記ヘッドから延在するエクステンションを有するバックアップリングと；
前記バックアップリングの前記エクステンションの周りに少なくとも部分的に配設されているスプリングエネルギー式シールであって、前記スプリングエネルギー式シールは、ジャケットを含み、前記ジャケットは、第１の端部に形成されたヘッド、前記第１の端部から間隔を離して配置されている第２の端部に形成されたシーリング部分、前記ジャケットの前記第１の端部と前記ジャケットの前記第２の端部との間に延在している角度付きの内部表面、および、前記ジャケットの前記シーリング部分の中に配設されている環状スプリングを有している、スプリングエネルギー式シールと；
前記バックアップリングの前記エクステンションと前記スプリングエネルギー式シールの前記ジャケットの前記角度付きの内部表面との間のギャップであって、前記ギャップは、少なくとも部分的に前記スプリングエネルギー式シールの前記ジャケットの前記角度付きの内部表面の長さに沿って延在している、ギャップと
を含む、シールアッセンブリ。
【請求項３】
高圧ポンプのためのシールアッセンブリであって、前記シールアッセンブリは、
スプリングエネルギー式シールであって、前記スプリングエネルギー式シールは、
ジャケットであって、前記ジャケットは、前記ジャケットの第１の端部に形成されたヘッド、前記ジャケットの前記ヘッドから軸線方向に延在している環状リップ部、および、前記第１の端部から所定の距離における前記ジャケットの第２の端部に形成されたシーリング部分を有しており、前記シーリング部分は、スプリング部分を含む、ジャケット；ならびに、
前記スプリング部分の中に配設されている環状スプリング
を含む、スプリングエネルギー式シールと；
バックアップリングであって、前記バックアップリングは、前記バックアップリングの第１の端部に形成されたヘッド、および前記バックアップリングの前記ヘッドから延在している、エクステンションを有している、バックアップリングと；
前記バックアップリングの前記ヘッドの外部表面と前記ジャケットの前記ヘッドの前記環状リップ部の内部表面との間において、前記バックアップリングの前記ヘッドを取り囲む第１のギャップと
を含む、シールアッセンブリ。
【請求項４】
ＩＤＳＥＳは、９９％ＩＤＢＵＲ以下である、請求項１に記載のシールアッセンブリ。
【請求項５】
前記スプリングエネルギー式シールの前記シーリング部分は、シャフトおよびハウジングに接触するように適合されており、前記シャフトは、前記シールアッセンブリの中に配設されており、前記シールアッセンブリは、前記ハウジングの中に据え付けられている、請求項１から３のいずれか一項に記載のシールアッセンブリ。
【請求項６】
前記第１のギャップは、半径方向の幅ＷＦＧを有しており、前記シールアッセンブリは、外径ＯＤＳＡを有しており、ＷＦＧは、５％ＯＤＳＡ以下である、請求項３に記載のシールアッセンブリ。
【請求項７】
前記第１のギャップは、半径方向の幅ＷＦＧを有しており、ＷＦＧは、０．１ｍｍ以下である、請求項３に記載のシールアッセンブリ。
【請求項８】
前記バックアップリングの前記内部表面は、長手方向軸線に関して角度γを形成しており、γは、０．２５°以上である、請求項１に記載のシールアッセンブリ。
【請求項９】
前記バックアップリングの前記ヘッドは、下側表面を含み、前記ジャケットの前記ヘッドは、前記バックアップリングの前記ヘッドの前記下側表面と接触した上側表面を含む、請求項２または３に記載のシールアッセンブリ。
【請求項１０】
スプリングエネルギー式シールの前記ジャケットの前記シーリング部分は、前記シールアッセンブリの中に据え付けられているシャフトに接触するように適合されており、第２のギャップが、前記バックアップリングの前記エクステンションと前記ジャケットとの間に形成されている、請求項２または３に記載のシールアッセンブリ。
【請求項１１】
前記第１のギャップは、前記バックアップリングが前記スプリングエネルギー式シールに対して任意の半径方向に移動することを可能にするように適合されている、請求項３に記載のシールアッセンブリ。
【請求項１２】
前記バックアップリングは、ポリマーを含む、請求項１から３のいずれか一項に記載のシールアッセンブリ。
【請求項１３】
前記スプリングエネルギー式シールの前記ジャケットは、フッ素ポリマーを含む、請求項１から３のいずれか一項に記載のシールアッセンブリ。
【請求項１４】
前記シールアッセンブリは、５，０００ｐｓｉ以上の圧力に耐えるように適合されている、請求項１から３のいずれか一項に記載のシールアッセンブリ。
【請求項１５】
前記シールアッセンブリは、前記ジャケットとハウジングとの間に確立される第３のギャップをさらに含み、前記シールアッセンブリは、前記ハウジングの中に据え付けられるように構成されている、請求項１０に記載のシールアッセンブリ。
【発明の詳細な説明】
【技術分野】
【０００１】
本発明は、概して、スプリングエネルギー式シール（ｓｐｒｉｎｇ  ｅｎｅｒｇｉｚｅｄ  ｓｅａｌ）に関し、また、ポンプ、増圧器、ブースター、発電機、およびアクチュエーターなどのような、高圧機器のためのスプリングエネルギー式シールに関する。
【背景技術】
【０００２】
高圧機器は、高圧を発生させ、閉じ込め、および印加する特定の用途において必要である。たとえば、超高性能液体クロマトグラフィーは、液体混合物の中のそれぞれの成分を分離し、識別し、および定量化するために使用され得る。高圧ポンプは、固体の吸着性材料によって充填されたカラムを通して、サンプル混合物を含有する加圧液体溶媒を押し込むことが可能である。サンプル混合物の中のそれぞれの成分は、吸着性材料と異なって相互作用する可能性があり、それは、サンプル混合物の中の異なる成分のそれぞれに関して異なる流量を引き起こす可能性がある。これは、個々の成分がカラムから流出するときに、個々の成分の分離につながる可能性がある。
【０００３】
産業界は、改善されたシール、とりわけ、高い動作圧力を利用する用途のための改善されたシールを要求し続けている。
【図面の簡単な説明】
【０００４】
本開示は、添付の図面を参照することによってより良好に理解され得り、その多数の特徴および利点が当業者に明らかにされ得る。
【０００５】
【図１】一実施形態によるシールアッセンブリの側面図である。
【図２】一実施形態によるシールアッセンブリの上面図である。
【図３】一実施形態によるシールアッセンブリの底面図である。
【図４】一実施形態によるシールアッセンブリの分解側面図である。
【図５】一実施形態によるシールアッセンブリのためのバックアップリングの上面図である。
【図６】一実施形態によるシールアッセンブリのためのバックアップリングの底面図である。
【図７】一実施形態によるシールアッセンブリのためのスプリングエネルギー式シールの上面図である。
【図８】一実施形態によるシールホイールアッセンブリのためのスプリングエネルギー式シールの底面図である。
【図９】図２の中の線９−９に沿って見た、一実施形態によるシールアッセンブリの断面図である。
【図１０】一実施形態によるシールアッセンブリの断面および分解図である。
【図１１】一実施形態によるシールアッセンブリの断面および分解図である。
【図１２】一実施形態による別のシールアッセンブリの断面図である。
【図１３】一実施形態によるさらに別のシールアッセンブリの断面図である。
【図１４】一実施形態によるさらに別のシールアッセンブリの断面図である。
【図１５】一実施形態によるさらに別のシールアッセンブリの断面および分解図である。
【図１６】一実施形態による一層さらなる別のシールアッセンブリの断面図である。
【図１７】一実施形態による一層さらなる別のシールアッセンブリの断面および分解図である。
【図１８】一実施形態による一層さらなる別のシールアッセンブリの断面図である。
【図１９】一実施形態による一層さらなる別のシールアッセンブリの断面および分解図である。
【図２０】一実施形態によるさらに別のシールアッセンブリの断面図である。
【図２１】一実施形態によるさらに別のシールアッセンブリの断面および分解図である。
【発明を実施するための形態】
【０００６】
以下のものは、全体的に、高圧ポンプ（たとえば、超高性能液体クロマトグラフィーシステムの中で使用されるポンプ）の中で使用され得るシールアッセンブリに関する。１つの態様では、シールアッセンブリは、スプリングエネルギー式シールおよびバックアップリングを含むことが可能である。シールアッセンブリは、組み立ての間にバックアップリングがスプリングエネルギー式シールの中で半径方向に移動することを可能にするように設計されており、シールアッセンブリを通して挿入されるシャフトの製造公差に起因する粒子の生成が最小化されるようになっている。さらに、シールの設計は、シールアッセンブリとシャフトとの接触を実質的に最小化し、シールアッセンブリの過度の摩耗リスクを低減させることが可能であり、たとえば、バックアップリングとの接触、および、スプリングエネルギー式シールのジャケットのシーリング部分の外側のスプリングエネルギー式シールとの接触を実質的に最小化することが可能である。
【０００７】
最初に図１から図３を参照すると、シールアッセンブリが図示されており、全体的に１００で指定されている。示されているように、シールアッセンブリは、スプリングエネルギー式シール１０２およびバックアップリング１０４を含むことが可能である。特定の態様において、および、より詳細に下記に説明されているように、バックアップリング１０４は、スプリングエネルギー式シール１０２の中に少なくとも部分的にフィットしている。シールアッセンブリ１００は、長手方向軸線１０６を定義することが可能である。
【０００８】
図４から図８に示されているように、スプリングエネルギー式シール１０２は、本体部１１０を有するジャケット１０８を含むことが可能であり、ジャケット１０８の本体部１１０は、第１の端部１１２および第２の端部１１４を含むことが可能である。さらに、本体部１１０は、ヘッド１１６を含むことが可能であり、ヘッド１１６は、本体部１１０の第１の端部１１２に隣接してまたはその近くに、本体部１１０の上に形成されている。そのうえ、ジャケット１０８の本体部１１０は、エクステンション１１８を含むことが可能であり、エクステンション１１８は、長手方向軸線１０６に対して実質的に平行の方向にヘッド１１６から離れるように延在することが可能である。
【０００９】
また、図４は、バックアップリング１０４が本体部１２０を含むことが可能であり、本体部１２０が第１の端部１２２および第２の端部１２４を含むことを示している。本体部１２０は、ヘッド１２６を含むことが可能であり、ヘッド１２６は、本体部１２０の第１の端部１２２に隣接してまたはその近くに、本体部１２０の上に形成されている。追加的に、本体部１２０は、エクステンション１２８を含むことが可能であり、エクステンション１２８は、長手方向軸線１０６に対して実質的に平行の方向にヘッド１２６から離れるように延在することが可能である。特定の態様において、バックアップリング１０４のエクステンション１２８は、形状が概して切頭円錐形状になっていることが可能である。
【００１０】
ここで図９から図１１を参照すると、スプリングエネルギー式シール１０２およびバックアップリング１０４に関するさらなる詳細が示されている。図示されているように、スプリングエネルギー式シール１０２の本体部１１０のエクステンション１１８は、本体部１１０の第２の端部１１４に形成されたシーリング部分１５０を含むことが可能である。シーリング部分１５０は、内側エクステンション部分１５２および外側エクステンション部分１５４を含むことが可能である。さらに、シーリング部分１５０は、環状スプリングポケット１５１を含むことが可能であり、環状スプリングポケット１５１は、内側エクステンション部分１５２と外側エクステンション部分１５４との間に形成されている。スプリングエネルギー式シール１０２は、環状スプリング１５６をさらに含むことが可能であり、環状スプリング１５６は、環状スプリングポケット１５１の中に配設されている。
【００１１】
特定の態様において、スプリングエネルギー式シール１０２は、最小内径ＩＤＳＥＳを有することが可能であり、最小内径ＩＤＳＥＳは、スプリングエネルギー式シール１０２の中に形成された内側ボアの最も細い部分において測定されている。さらに、バックアップリング１０４は、最小内径ＩＤＢＵＲを含むことが可能であり、最小内径ＩＤＢＵＲは、バックアップリング１０４の中に形成された内側ボアの最も細い部分において測定されている。特定の態様において、ＩＤＳＥＳは、９９％ＩＤＢＵＲ以下であることが可能である。そのうえ、ＩＤＳＥＳは、９８％ＩＤＢＵＲ以下であることが可能であり、たとえば、９７％ＩＤＢＵＲ以下、９６％ＩＤＢＵＲ以下、または９５％ＩＤＢＵＲ以下などであることが可能である。別の態様において、ＩＤＳＥＳは、８５％ＩＤＢＵＲ以上であることが可能であり、たとえば、９０％ＩＤＢＵＲ以上、９１％ＩＤＢＵＲ以上、９２％ＩＤＢＵＲ以上、９３％ＩＤＢＵＲ以上、または９４％ＩＤＢＵＲ以上などであることが可能である。ＩＤＳＥＳは、本明細書で説明されているＩＤＳＥＳの最大値または最小値のいずれかの間の（および、それらを含む）範囲の中にあることが可能であるということが理解されるべきである。
【００１２】
図９から図１１は、スプリングエネルギー式シール１０２の本体部１１０が内部表面１６０および外部表面１６２をさらに含むことが可能であるということをさらに示している。内部表面１６０は、本体部１１０の第１の端部１１２から本体部の第２の端部１１４へ延在することが可能であり、また、第１の部分１６４を含むことが可能であり、第１の部分１６４は、シールアッセンブリ１００の長手方向軸線１０６に関して角度αで延在することが可能である。特定の態様において、αは、１０°以上であることが可能である。さらに、αは、１２．５°以上であることが可能であり、たとえば、１５°以上、１７．５°以上、または２０°以上などであることが可能である。別の態様において、αは、３０°以下であることが可能であり、たとえば、２７．５°以下、２５°以下、または２２．５°以下などであることが可能である。αは、本明細書で説明されているαの最小値と最大値との間の（および、それらを含む）範囲の中にあることが可能であるということが理解されるべきである。
【００１３】
第１の部分１６４は、少なくとも部分的にエクステンション１１８の内部表面１６０に沿って延在し、湾曲している第２の部分１６６において終端することが可能である。第２の部分１６６は、エクステンション１１８の第２の端部１１４において終端することが可能である。さらに、エクステンション１１８の外部表面１６２は、第１の部分１７０を含むことが可能であり、第１の部分１７０は、シールアッセンブリ１００の長手方向軸線１０６に関して角度βで延在することが可能である。特定の態様において、βは、１０°以上であることが可能である。さらに、βは、１５°以上であることが可能であり、たとえば、２０°以上、２５°以上、または３０°以上などであることが可能である。別の態様において、βは、５０°以下であることが可能であり、たとえば、４７．５°以下、４５°以下、または４２．５°以下であることが可能である。βは、本明細書で説明されているβの最小値と最大値との間の（および、それらを含む）範囲の中にあることが可能であるということが理解されるべきである。
【００１４】
第１の部分１７０は、それが第２の部分１７２に到達するまで、少なくとも部分的にエクステンション１１８の外部表面１６２に沿って延在することが可能である。外部表面の第２の部分１７２は、シールアッセンブリ１００の長手方向軸線１０６に実質的に平行になっていることが可能である。外部表面の第２の部分１７２は、エクステンション１１８の外部表面１６２の第３の部分１７４へ延在することが可能である。外部表面１６２の第３の部分１７４は、湾曲していることが可能であり、エクステンション１１８の第２の端部１１４において終端することが可能である。図示されているように、切頭円錐形状のボア１７６は、本体部１１０の中に形成され得り、本体部１１０の内部表面１６０の第１の部分１６４によって形成され得る。
【００１５】
また、図９から図１１は、スプリングエネルギー式シール１０２のジャケット１０８の本体部１１０のヘッド１１６が上側表面１８０および下側表面１８２を含むことが可能であるということを示している。スプリングエネルギー式シール１０２のジャケット１０８の本体部１１０のヘッド１１６の上側表面１８０および下側表面１８２は、シールアッセンブリ１００の長手方向軸線１０６に対して実質的に垂直になっていることが可能である。さらに、リップ部１８４が、本体部１１０のヘッド１１６の上側表面１８０から、エクステンション１１８の反対側の方向に延在することが可能である。リップ部１８４は、内部表面１８６を含むことが可能であり、浅い窪み１８８が、リップ部１８４の内部表面１８６によって境界を定められ得る。特定の態様において、浅い窪み１８８は、高さＨＳＤを有することが可能であり、スプリングエネルギー式シール１０２のジャケット１０８の本体部１１０のヘッド１１６は、高さＨＨを有することが可能である。ＨＳＤは、２０％ＨＨ以下であることが可能である。さらに、ＨＳＤは、１７．５％ＨＨ以下であることが可能であり、たとえば、１５％ＨＨ以下または１２．５％ＨＨ未満などであることが可能である。さらに、ＨＳＤは、５％ＨＨ以上ことが可能であり、たとえば、７．５％ＨＨ以上または１０．０％ＨＨ以上などであることが可能である。ＨＳＤは、本明細書で説明されているＨＳＤの最大値および最小値のいずれかの間の（および、それらを含む）範囲の中にあることが可能であるということが理解されるべきである。
【００１６】
また、図９から図１１は、バックアップリング１０４の本体部１２０が内部表面２０２を含むことが可能であり、内部表面２０２が本体部１２０の第１の端部１２２から本体部１２０の第２の端部１２４へ延在することが可能であるということを示している。さらに、バックアップリング１０４の本体部１２０のエクステンション１２８は、外部表面２０４を含むことが可能であり、外部表面２０４は、本体部１２０のヘッド１２６から本体部１２０の第２の端部１２４へ延在することが可能である。特定の態様において、バックアップリング１０４の本体部１２０の内部表面２０２は、長手方向軸線１０６に関して角度γで形成され得る。
【００１７】
特定の態様において、γは、０．２５°以上であることが可能である。さらに、γは、０．５°以上であることが可能であり、たとえば、０．７５°以上、１．０°以上、１．５°以上、２．０°以上、２．５°以上、または３°以上などであることが可能である。別の態様において、γは、１０°以下であることが可能であり、たとえば、７．５°以下、５．０°以下、または３．５°以下などであることが可能である。γは、本明細書で説明されているγの最小値と最大値との間の（および、それらを含む）範囲の中にあることが可能であるということが理解されるべきである。
【００１８】
また、バックアップリング１０４の本体部１２０の外部表面２０４は、長手方向軸線１０６に関して角度δで形成され得る。特定の態様において、δは、１０°以上であることが可能である。さらに、δは、１２．５°以上であることが可能であり、たとえば、１５°以上、１７．５°以上、または２０°以上などであることが可能である。別の態様において、δは、３０°以下であることが可能であり、たとえば、２７．５°以下、２５°以下、または２２．５°以下などであることが可能である。δは、本明細書で説明されているδの最小値と最大値との間の（および、それらを含む）範囲の中にあることが可能であるということが理解されるべきである。
【００１９】
図９から図１１は、バックアップリング１０４の本体部１２０のヘッド１２６が、上側表面２０６、下側表面２０８、および外部表面２１０を含むことが可能であるということを示している。そのうえ、切頭円錐形状のボア２１２は、バックアップリング１０４の本体部１２０の中に形成され得る。バックアップリング１０４の本体部１２０の中の切頭円錐形状のボア２１２は、バックアップリング１０４の本体部１２０の内部表面２０２によって境界を定められ得る。
【００２０】
図９に示されているように、バックアップリング１０４がスプリングエネルギー式シール１０２の中に据え付けられているときには、バックアップリング１０４は、少なくとも部分的にスプリングエネルギー式シール１０２の中へ延在することが可能である。具体的には、バックアップリング１０４の本体部１２０の切頭円錐形状のエクステンション１２８は、スプリングエネルギー式シール１０２のジャケット１０８の本体部１１０の中に形成された切頭円錐形状のボア１７６の中へフィットすることが可能である。示されているように、バックアップリング１０４がスプリングエネルギー式シール１０２の中に据え付けられているときには、第１のギャップ２２０が存在しており、第１のギャップ２２０は、バックアップリング１０４の本体部１２０のヘッド１２６の周りに確立され得る。具体的には、第１のギャップ２２０は、バックアップリング１０４の本体部１２０のヘッド１２６の外部表面２１０と、スプリングエネルギー式シール１０２のジャケット１０８の本体部１１０のヘッド１１６から延在するリップ部１８４の内部表面１８６との間に確立され得る。
【００２１】
簡潔に図２を参照すると、シールアッセンブリ１００は、外径ＯＤＳＡを有することが可能であり、第１のギャップ２２０は、幅ＷＦＧを有することが可能であり、ＷＦＧは、５％ＯＤＳＡ以下であることが可能である。さらに、ＷＦＧは、４％ＯＤＳＡ以下であることが可能であり、たとえば、３％ＯＤＳＡ以下、２％ＯＤＳＡ以下、または１％ＯＤＳＡ以下などであることが可能である。別の態様において、ＷＦＧは、０．１％ＯＤＳＡ以上であることが可能であり、たとえば、０．２％ＯＤＳＡ以上、０．３％ＯＤＳＡ以上、０．４％ＯＤＳＡ以上、０．５％ＯＤＳＡ以上、０．６％ＯＤＳＡ以上、０．７％ＯＤＳＡ以上、０．８％ＯＤＳＡ以上、または０．９％ＯＤＳＡ以上などであることが可能である。ＷＦＧは、本明細書で説明されているＷＦＧの最大値および最小値のいずれかの間の（および、それらを含む）範囲の中にあることが可能であるということが理解されるべきである。
【００２２】
別の態様において、ＯＤＳＡは、２０．０ｍｍ以下であることが可能である。そのうえ、ＯＤＳＡは、１７．５ｍｍ以下であることが可能であり、たとえば、１５．０ｍｍ以下、１２．５ｍｍ以下、または１０．０ｍｍ以下などであることが可能である。別の態様において、ＯＤＳＡは、２．５ｍｍ超であることが可能であり、たとえば、５．０ｍｍ超または７．５ｍｍ超などであることが可能である。ＯＤＳＡは、本明細書で説明されているＯＤＳＡの最大値および最小値のいずれかの間の（および、それらを含む）範囲の中にあることが可能であるということが理解されるべきである。さらに別の態様において、ＷＦＧは、０．１ｍｍ以下であることが可能である。さらに、ＷＦＧは、０．０９５ｍｍ以下であることが可能であり、たとえば、０．０９ｍｍ以下、０．０８５ｍｍ以下、０．０８ｍｍ以下、０．０７５ｍｍ以下、０．０７ｍｍ以下、０．０６５ｍｍ以下、または０．０６ｍｍ以下などであることが可能である。別の態様において、ＷＦＧは、０．０１ｍｍ以上であることが可能であり、たとえば、０．０１５ｍｍ以上、０．０２ｍｍ以上、０．０２５ｍｍ以上、０．０３ｍｍ以上、０．０３５ｍｍ以上、０．０４ｍｍ以上、０．０４５ｍｍ以上、または０．０５ｍｍ以上などであることが可能である。ＷＦＧは、本明細書で説明されているＷＦＧの最大値および最小値のいずれかの間の（および、それらを含む）範囲の中にあることが可能であるということが理解されるべきである。
【００２３】
図９に戻って参照すると、バックアップリング１０４がスプリングエネルギー式シール１０２の中に据え付けられているときには、第２のギャップ２２２が、バックアップリング１０４の本体部１２０のエクステンション１２８の外部表面２０４とスプリングエネルギー式シール１０２のジャケット１０８の本体部１１０の内部表面１６０の第１の部分１６４との間において、バックアップリング１０４の本体部１２０のエクステンション１２８の周りに確立され得る。第２のギャップ２２２は、少なくとも部分的にバックアップリング１０４の本体部１２０のエクステンション１２８の外部表面２０４の長さＬＥＳに沿って延在することが可能である。たとえば、第２のギャップ２２２は、ギャップ長さＬＧを有することが可能であり、ＬＧは、１００％ＬＥＳ以下であることが可能である。さらに、ＬＧは、９５％ＬＥＳ以下であることが可能であり、たとえば、９０％ＬＥＳ以下、８５％ＬＥＳ以下、８０％ＬＥＳ以下、または７５％ＬＥＳ以下などであることが可能である。別の態様において、ＬＧは、１０％ＬＥＳ以上であることが可能であり、たとえば、１５％ＬＥＳ以上、２０％ＬＥＳ以上、２５％ＬＥＳ以上、３０％ＬＥＳ以上、３５％ＬＥＳ以上、４０％ＬＥＳ以上、４５％ＬＥＳ以上、または５０％ＬＥＳ以上などであることが可能である。ＬＧは、本明細書で説明されているＬＧの最大値および最小値のいずれかの間の（および、それらを含む）範囲の中にあることが可能であるということが理解されるべきである。
【００２４】
また、第２のギャップ２２２は、第２のギャップ２２２の最も広い部分を通して測定される最大ギャップ幅ＷＳＧを有することが可能である。ＷＳＧは、０．１ｍｍ以下であることが可能である。さらに、ＷＳＧは、０．０９５ｍｍ以下であることが可能であり、たとえば、０．０９ｍｍ以下、０．０８５ｍｍ以下、０．０８ｍｍ以下、０．０７５ｍｍ以下、０．０７ｍｍ以下、０．０６５ｍｍ以下、または０．０６ｍｍ以下などであることが可能である。別の態様において、ＷＳＧは、ｃａｎｂｅ０．０１ｍｍ以上であることが可能であり、たとえば、０．０１５ｍｍ以上、０．０２ｍｍ以上、０．０２５ｍｍ以上、０．０３ｍｍ以上、０．０３５ｍｍ以上、０．０４ｍｍ以上、０．０４５ｍｍ以上、または０．０５ｍｍ以上などであることが可能である。ＷＳＧは、本明細書で説明されているＷＳＧの最大値および最小値のいずれかの間の（および、それらを含む）範囲の中にあることが可能であるということが理解されるべきである。
【００２５】
特定の態様において、シーリングアッセンブリのジャケット１０８の本体部１１０は、スプリングエネルギー式シール１０２のジャケット１０８の本体部１１０のシーリング部分１５０を通して半径方向に測定される最大幅ＷＭＢを含むことが可能である。ＷＳＧは、１５％ＷＭＢ以下であることが可能である。さらに、ＷＳＧは、１２．５％ＷＭＢ以下であることが可能であり、たとえば、１０％ＷＭＢ以下、７．５％ＷＭＢ以下、または５％ＷＭＢ以下などであることが可能である。別の態様において、ＷＳＧは、１％ＷＭＢ以上であることが可能であり、たとえば、１．５％ＷＭＢ以上、２％ＷＭＢ以上、２．５％ＷＭＢ以上、または３％ＷＭＢ以上などであることが可能である。ｔｈａｔＷＳＧは、本明細書で説明されているＷＳＧの値のいずれかの間の（および、それらを含む）範囲の中にあることが可能であるということが理解されるべきである。
【００２６】
図１１に示されているように、シールアッセンブリ１００がハウジング２５０の中に据え付けられているときには、第３のギャップ２５２が、シールアッセンブリ１００のジャケット１０８の本体部１１０のエクステンション１１８の周りに確立され得る。具体的には、第３のギャップ２５２は、シールアッセンブリ１００のジャケット１０８の本体部１１０のエクステンション１１８の外部表面１６２とハウジング２５０の内部表面２５４との間に確立され得る。第３のギャップ２５２は、第３のギャップ２５２の最も広い部分を通して測定される最大ギャップ幅ＷＴＧを有することが可能である。ＷＴＧは、０．５ｍｍ以下であることが可能である。さらに、ＷＴＧは、０．４５ｍｍ以下であることが可能であり、たとえば、０．４ｍｍ以下、０．３５ｍｍ以下、０．３ｍｍ以下、０．２５ｍｍ以下、０．２ｍｍ以下、０．１５ｍｍ以下、０．１ｍｍ以下、または０．０５ｍｍ以下などであることが可能である。別の態様において、ＷＴＧは、０．０１ｍｍ以上であることが可能であり、たとえば、０．０１５ｍｍ以上、０．０２ｍｍ以上、０．０２５ｍｍ以上、０．０３ｍｍ以上、０．０３５ｍｍ以上、０．０４ｍｍ以上、０．０４５ｍｍ以上、または０．０５ｍｍ以上などであることが可能である。ＷＴＧは、本明細書で説明されているＷＴＧの最大値および最小値のいずれかの間の（および、それらを含む）範囲の中にあることが可能であるということが理解されるべきである。
【００２７】
別の態様において、ＷＴＧは、２０％ＷＭＢ以下であることが可能である。さらに、ＷＴＧは、１７．５％ＷＭＢ以下であることが可能であり、たとえば、１５％ＷＭＢ以下、１２．５％ＷＭＢ以下、１０％ＷＭＢ以下、７．５％ＷＭＢ以下、または５％ＷＭＢ以下などであることが可能である。別の態様において、ＷＴＧは、１％ＷＭＢ以上であることが可能であり、たとえば、１．５％ＷＭＢ以上、２％ＷＭＢ以上、２．５％ＷＭＢ以上、または３％ＷＭＢ以上などであることが可能である。ＷＴＧは、本明細書で説明されているＷＴＧの値のいずれかの間の（および、それらを含む）範囲の中にあることが可能であるということが理解されるべきである。
【００２８】
追加的に、シールアッセンブリ１００がハウジング２５０の中に据え付けられているときには、第４のギャップ２５６が、バックアップリング１０４のヘッド１２６およびハウジング２５０の周りに確立され得る。第４のギャップ２５６は、バックアップリング１０４のヘッド１２６の外部表面２１０からハウジング２５０の上側内部表面２５８へ第４のギャップ２５６を通して半径方向に測定されるギャップ幅ＷＦＯＧを有することが可能である。特定の態様において、ＷＦＯＧは、０．１ｍｍ以下であることが可能である。さらに、ＷＦＯＧは、０．０９５ｍｍ以下であることが可能であり、たとえば、０．０９ｍｍ以下、０．０８５ｍｍ以下、０．０８ｍｍ以下、０．０７５ｍｍ以下、０．０７ｍｍ以下、０．０６５ｍｍ以下、または０．０６ｍｍ以下などであることが可能である。別の態様において、ＷＦＯＧは、０．０１ｍｍ以上であることが可能であり、たとえば、０．０１５ｍｍ以上、０．０２ｍｍ以上、０．０２５ｍｍ以上、０．０３ｍｍ以上、０．０３５ｍｍ以上、０．０４ｍｍ以上、０．０４５ｍｍ以上、または０．０５ｍｍ以上などであることが可能である。ＷＦＯＧは、本明細書で説明されているＷＦＯＧの最大値および最小値のいずれかの間の（および、それらを含む）範囲の中にあることが可能であるということが理解されるべきである。
【００２９】
第１のギャップおよび第４のギャップは、シャフトがシールアッセンブリを通してその中へ挿入されている間に、バックアップリングがスプリングエネルギー式シールに対して任意の半径方向に移動することを可能にするように適合されているということが認識され得る。さらに、バックアップリングとの接触は、シールアッセンブリの据え付けの後に、および、ポンピングの前に最小化される。また、スプリングエネルギー式シールアッセンブリのジャケットとの接触は、スプリングエネルギー式シールアッセンブリのシーリング部分の外側で最小化されている。第２のギャップおよび第３のギャップは、シャフトが往復運動するときに、ジャケットおよびシールがバックアップリングに対して移動することを可能にするように適合されている。第２のギャップおよび第３のギャップのサイズおよび形状は、シャフトによるトラベルの方向にシャフトが往復運動するときに、シャフトおよびハウジングとの適正な接触状態にジャケットのシーリング部分をスプリングの周りに維持しながら、ならびに、シールアッセンブリの中の適正なアライメントでスプリングを維持しながら、ジャケットの中のスプリングがわずかに移動することを可能にする。
【００３０】
１つの態様では、バックアップリングは、ポリマー、ポリマー複合材、合金、セラミック、または、それらの組み合わせを含むことが可能である。さらに、バックアップリングは、ポリアリールエーテルケトン（ＰＡＥＫ）を含むことが可能である。とりわけ、バックアップリングは、ポリエーテルエーテルケトン（ＰＥＥＫ）を含むことが可能である。別の態様において、スプリングエネルギー式シールのジャケットは、ポリマーを含むことが可能である。特定の態様において、スプリングエネルギー式シールのジャケットは、ポリテトラフルオロエチレン（ＰＴＦＥ）、超高分子量ポリエチレン（ＵＨＭＷＰＥ）、または、それらの誘導体を含むことが可能である。
【００３１】
シールアッセンブリは、５，０００ｐｓｉ以上の圧力に耐えるように適合されている。圧力は、７，５００ｐｓｉ以上ことが可能であり、たとえば、１０，０００ｐｓｉ以上、１２，５００ｐｓｉ以上、または１５，０００ｐｓｉ以上などであることが可能である。追加的に、圧力は、３０，０００ｐｓｉ以下であることが可能であり、たとえば、２７，５００ｐｓｉ以下、２５，０００ｐｓｉ以下、２２，５００ｐｓｉ以下、または２０，０００ｐｓｉ以下などであることが可能である。圧力は、本明細書で説明されている圧力値のいずれかの間の（および、それらを含む）範囲の中にあることが可能であるということが理解されるべきである。
【００３２】
図１２は、シールアッセンブリ１２００の追加的な実施形態を図示している。示されているように、シールアッセンブリ１２００は、スプリングエネルギー式シール１２０２およびバックアップリング１２０４を含むことが可能である。シールアッセンブリ１２００は、本明細書で詳細に説明されているシールアッセンブリ１００と多くの特質を共有している。図１３は、シールアッセンブリ１３００のさらに別の実施形態を示している。示されているように、シールアッセンブリ１３００は、スプリングエネルギー式シール１３０２およびバックアップリング１３０４を含むことが可能である。シールアッセンブリ１３００は、本明細書で詳細に説明されているシールアッセンブリ１００と多くの特質を共有している。
【００３３】
図１４および図１５を参照すると、別のシールアッセンブリが図示されており、全体的に１４００で指定されている。示されているように、シールアッセンブリ１４００は、スプリングエネルギー式シール１４０２およびバックアップリング１４０４を含むことが可能である。特定の態様において、および、より詳細に下記に説明されているように、バックアップリング１４０４は、スプリングエネルギー式シール１４０２の中に少なくとも部分的にフィットしている。そのうえ、シールアッセンブリ１４００は、長手方向軸線１４０６を定義することが可能である。
【００３４】
図１４および図１５に示されているように、スプリングエネルギー式シール１４０２は、本体部１４１０を有するジャケット１４０８を含むことが可能であり、ジャケット１４０８の本体部１４１０は、第１の端部１４１２および第２の端部１４１４を含むことが可能である。さらに、本体部１４１０は、ヘッド１４１６を含むことが可能であり、ヘッド１４１６は、本体部１４１０の第１の端部１４１２に隣接してまたはその近くに、本体部１４１０の上に形成されている。そのうえ、ジャケット１４０８の本体部１４１０は、エクステンション１４１８を含むことが可能であり、エクステンション１４１８は、長手方向軸線１４０６に対して実質的に平行の方向にヘッド１４１６から離れるように延在することが可能である。
【００３５】
また、図１４および図１５は、バックアップリング１４０４が本体部１４２０を含むことが可能であり、本体部１４２０が第１の端部１４２２および第２の端部１４２４を含むことを示している。本体部１４２０は、ヘッド１４２６を含むことが可能であり、ヘッド１４２６は、本体部１４２０の第１の端部１４２２に隣接してまたはその近くに、本体部１４２０の上に形成されている。追加的に、本体部１４２０は、エクステンション１４２８を含むことが可能であり、エクステンション１４２８は、長手方向軸線１４０６に対して実質的に平行の方向にヘッド１４２６から離れるように延在することが可能である。特定の態様において、バックアップリング１４０４のエクステンション１４２８は、形状が概して切頭円錐形状になっていることが可能である。
【００３６】
図１４および図１５に図示されているように、スプリングエネルギー式シール１４０２の本体部１１０のエクステンション１４１８は、本体部１４１０の第２の端部１４１４に形成されたシーリング部分１４５０を含むことが可能である。シーリング部分１４５０は、内側エクステンション部分１４５２および外側エクステンション部分１４５４を含むことが可能である。さらに、シーリング部分１４５０は、環状スプリングポケット１４５１を含むことが可能であり、環状スプリングポケット１４５１は、内側エクステンション部分１４５２と外側エクステンション部分１４５４との間に形成されている。スプリングエネルギー式シール１４０２は、環状スプリング１４５６をさらに含むことが可能であり、環状スプリング１４５６は、環状スプリングポケット１４５１の中に配設されている。
【００３７】
特定の態様において、スプリングエネルギー式シール１４０２は、ギャップＧを有することが可能であり、ギャップＧは、内側エクステンション部分１４５２の底部と、スプリングエネルギー式シール１４０２のジャケット４１０８の本体部１４１０の第２の端部１４１４の底部表面との間で測定される。スプリングエネルギー式シール１４０２の全体的な高さＨと比較されるときに、Ｇは、２５．０％Ｈ以下であることが可能である。そのうえ、Ｇは、２２．５％Ｈ以下であることが可能であり、たとえば、２０．０％Ｈ以下、１７．５％Ｈ以下、１５．０％Ｈ以下、１２．５％Ｈ以下、または１０．０％Ｈ以下などであることが可能である。別の態様において、Ｇは、２．５％Ｈ以上であることが可能であり、たとえば、５．０％Ｈ以上、７．５％Ｈ以上、８．０％Ｈ以上、８．５％Ｈ以上、９．０％Ｈ以上、または９．５％Ｈ以上などであることが可能である。Ｇは、本明細書で説明されているＧの最大値または最小値のいずれかの間の（および、それらを含む）範囲の中にあることが可能であるということが理解されるべきである。
【００３８】
図１４および図１５は、スプリングエネルギー式シール１４０２の本体部１４１０が内部表面１４６０および外部表面１４６２をさらに含むことが可能であるということをさらに示している。内部表面１４６０は、本体部１４１０の第１の端部１４１２から本体部の第２の端部１４１４へ延在することが可能であり、また、平坦な第１の部分１４６４および平坦な第２の部分１４６６を含むことが可能である。平坦な第２の部分１４６６は、長手方向軸線１４０４に対して実質的に垂直になっていることが可能である。さらに、平坦な第１の部分１４６４は、内部表面１４６０の平坦な第２の部分１４６６を通過する線または平面に関して角度αで形成され得る。たとえば、αは、２２．５°以上であることが可能である。さらに、αは、３０°以上であることが可能であり、たとえば、３５°以上、４０°以上、または４５°以上などであることが可能である。別の態様において、αは、６７．５°以下であることが可能であり、たとえば、６５°以下、６０°以下、５５°以下、または５０°以下などであることが可能である。αは、本明細書で説明されているαの最小値と最大値との間の（および、それらを含む）範囲の中にあることが可能であるということが理解されるべきである。
【００３９】
スプリングエネルギー式シール１４０２のジャケット１４０８の本体部１４１０の内部表面１４６０は、湾曲した第３の部分１４６８をさらに含むことが可能であり、湾曲した第３の部分１４６８は、それが平坦な第４の部分１４７０に到達するまで、概して下向きの方向に延在している。また、内部表面１４６０の平坦な第４の部分１４７０は、湾曲した第５の部分１４７２へ概して下向きに延在することが可能である。湾曲した第５の部分１４７２は、本体部１４１０のエクステンション１４１８の第２の端部１１４に終端することが可能である。
【００４０】
特定の態様において、平坦な第４の部分１４８０は、スプリングエネルギー式シール１４０２のジャケット１４０８の本体部１４１０の内部表面１４６０の平坦な第２の部分１４６６に関して角度βを形成することが可能である。特定の態様において、βは、９５°以上ことが可能である。さらに、βは、１００°以上であることが可能であり、たとえば、１０５°以上または１１０°以上などであることが可能である。別の態様において、βは、１３０°以下であることが可能であり、たとえば、１２５°以下、１２０°以下、または１１５°以下などであることが可能である。βは、本明細書で説明されているβの最小値と最大値との間の（および、それらを含む）範囲の中にあることが可能であるということが理解されるべきである。
【００４１】
図１４および図１５にさらに図示されているように、スプリングエネルギー式シール１４０２のジャケット１４０８の本体部１４１０の外部表面１４６２は、平坦な第１の部分１４８０を含むことが可能であり、平坦な第１の部分１４８０は、スプリングアッセンブリ１４００の長手方向軸線１４０６に対して実質的に平行に延在することが可能である。平坦な第２の部分１４８２は、第１の部分１４８０から概して内向きに延在することが可能であり、スプリングアッセンブリ１４０６の長手方向軸線１４０６に対して実質的に垂直になっている。平坦な第３の部分１４８４が、スプリングエネルギー式シール１４０２のジャケット１４０８の本体部１４１０のエクステンション１４１８の外部表面１４６２の平坦な第２の部分１４８２に関して角度γで、平坦な第２の部分１４８２から概して下向きに延在することが可能である。特定の態様において、γは、１１０°以上であることが可能である。さらに、γは、１１５°以上であることが可能であり、たとえば、１２０°以上、１２５°以上、または１３０°以上などであることが可能である。別の態様において、γは、１５０°以下であることが可能であり、たとえば、１４５°以下、１４０°以下、または１３５°以下などであることが可能である。γは、本明細書で説明されているγの最小値と最大値との間の（および、それらを含む）範囲の中にあることが可能であるということが理解されるべきである。
【００４２】
スプリングエネルギー式シール１４０２のジャケット１４０８の本体部１４１０の外部表面１４６２は、平坦な第４の部分１４８６をさらに含むことが可能であり、平坦な第４の部分１４８６は、外部表面１４６２の平坦な第３の部分１４８４から概して下向きの方向に延在することが可能である。平坦な第４の部分１４８６は、スプリングアッセンブリ１４００の長手方向軸線１４０６に対して概して平行になっていることが可能である。また、外部表面１４６２は、湾曲した第５の部分１４８８を含むことが可能であり、湾曲した第５の部分１４８８は、スプリングエネルギー式シール１４０２のジャケット１４０の本体部１４１０の外部表面１４６２の平坦な第４の部分１４８６から、概して下向きにおよび外向きに延在することが可能である。外部表面１６２の湾曲した第５の部分１４８８は、エクステンション１４１８の第２の端部１４１４において終端することが可能である。図示されているように、概して切頭円錐形状のボア１４９０は、スプリングエネルギー式シール１４０２のジャケット１４０８の本体部１４１０の中に形成され得り、スプリングエネルギー式シール１４０２のジャケット１４０８の本体部１４１０の内部表面１４６０の第３および第４の部分１４６８、１４７０によって境界を定められ得る。
【００４３】
図１４および図１５は、バックアップリング１４０４の本体部１４２０が内部表面１５０２を含むことが可能であり、内部表面１５０２が本体部１４２０の第１の端部１４２２から本体部１４２０の第２の端部１４２４へ延在することが可能であるということをさらに示している。さらに、バックアップリング１４０４の本体部１４２０は、外部表面１５０４を含むことが可能であり、外部表面１５０４は、本体部１４２０の第１の端部１４２２から本体部１４２０の第２の端部１４２４へ延在することが可能である。特定の態様において、バックアップリング１４０４の本体部１４２０の内部表面１５０２は、長手方向軸線１４０６に関して角度δで形成され得る。特定の態様において、δは、０．２５°以上であることが可能である。さらに、δは、０．５°以上であることが可能であり、たとえば、０．７５°以上、１．０°以上、１．５°以上、２．０°以上、２．５°以上、または３°以上などであることが可能である。別の態様において、δは、１０°以下であることが可能であり、たとえば、７．５°以下、５．０°以下、または３．５°以下などであることが可能である。δは、本明細書で説明されているδの最小値と最大値との間の（および、それらを含む）範囲の中にあることが可能であるということが理解されるべきである。
【００４４】
図１４および図１５に図示されているように、バックアップリング１４０４の本体部１４２０の外部表面１５０４は、平坦な第１の部分１５０６を含むことが可能であり、平坦な第１の部分１５０６は、スプリングアッセンブリ１４００の長手方向軸線１４０６に対して実質的に平行になっている。平坦な第２の部分１５０８は、平坦な第１の部分１５０６から内向きに延在することが可能であり、スプリングアッセンブリ１４００の長手方向軸線１４０６に実質的に対して垂直になっていることが可能である。外部表面１５０４は、湾曲した第３の部分１５１０を含むことが可能であり、湾曲した第３の部分１５１０は、バックアップリング１４０４の本体部１４２０の外部表面１５０４の平坦な第２の部分１５０８から、概して下向きにおよび内向きに延在することが可能である。平坦な第４の部分１５１２は、湾曲した第３の部分１５１０から、概して下向きにおよび内向きに延在することが可能である。そのうえ、平坦な第５の部分１５１４は、平坦な第４の部分１５１２から下向きにおよび内向きに延在することが可能であり、バックアップリング１４０４の本体部１４２０の第２の端部１４２４において終端することが可能である。
【００４５】
特定の態様において、平坦な第４の部分１５１２は、平坦な第２の部分１５０８に関して角度εで形成され得る。特定の態様において、εは、９５°以上であることが可能である。さらに、εは、１００°以上であることが可能であり、たとえば、１０５°以上または１１０°以上などであることが可能である。別の態様において、εは、１３０°以下であることが可能であり、たとえば、１２５°以下、１２０°以下、または１１５°以下などであることが可能である。εは、本明細書で説明されているεの最小値と最大値との間の（および、それらを含む）範囲の中にあることが可能であるということが理解されるべきである。特定の態様において、εは、γに実質的に等しくなっていることが可能である。
【００４６】
図１４および図１５に示されているように、バックアップリング１４０４の本体部１４２０の内部表面１５０２は、バックアップリング１４０４の本体部１４２０の外部表面１５０４の平坦な第５の部分１５１４に関して角度θで形成することが可能である。とりわけ、θは、３０°以上であることが可能である。さらに、θは、３５°以上であることが可能であり、たとえば、４０°以上、４５°以上、５０°以上、または５５°以上などであることが可能である。別の態様において、εは、８０°以下であることが可能であり、たとえば、７５°以下、７０°以下、６５°以下、または６０°以下などであることが可能である。θは、本明細書で説明されているθの最小値と最大値との間の（および、それらを含む）範囲の中にあることが可能であるということが理解されるべきである。
【００４７】
図１４および図１５は、切頭円錐形状のボア１５２０がバックアップリング１４０４の本体部１４２０の中に形成され得るということを示している。バックアップリング１４０４の本体部１４２０の中の切頭円錐形状のボア１５２０は、バックアップリング１４０４の本体部１４２０の内部表面１５０２によって境界を定められ得る。切頭円錐形状のボア１５２０は、バックアップリング１４０４の第１の端部１４２２において測定される上側半径ＲＵを有することが可能であり、また、バックアップリング１４０４の第２の端部１４２４において測定される下側半径ＲＬを有することが可能である。特定の態様において、ＲＵは、ＲＬ未満であることが可能である。とりわけ、ＲＵは、９９．７５％ＲＬ以下であることが可能である。さらに、ＲＵは、９９．５％ＲＬ以下であることが可能であり、たとえば、９９．２５％ＲＬ以下、９９．０％ＲＬ以下、９８．７５％ＲＬ以下、９８．５％ＲＬ以下、または９８．２５％ＲＬ以下などであることが可能である。別の態様において、ＲＵは、９０．０％ＲＬ以上であることが可能であり、たとえば、９２．５％ＲＬ以上、９５．０％ＲＬ以上、９７．５％ＲＬ以上、または９８．０％ＲＬ以上などであることが可能である。ＲＵは、本明細書で説明されているＲＵの最大値および最小値のいずれかの間の（および、それらを含む）範囲の中にあることが可能であるということが理解されるべきである。示されているように、切頭円錐形状のボア１５２０の直径は、ボアがバックアップリング１４０４の本体部１４２０の第１の端部１４２２からバックアップリング１４０４の本体部１４２０の第２の端部１４２４へ横断させられるにしたがって、外向きに膨張することが可能である。
【００４８】
別の態様において、ＲＵは、ＲＬ超であることが可能である。とりわけ、ＲＵは、１００．２５％ＲＬ以上であることが可能である。さらに、ＲＵは、１００．５％ＲＬ以上であることが可能であり、たとえば、１００．７５％ＲＬ以上、１０１．０％ＲＬ以上、１０１．２５％ＲＬ以上、１０１．５％ＲＬ以上、または１０１．７５％ＲＬ以上などであることが可能である。別の態様において、ＲＵは、１１０．０％ＲＬ以下であることが可能であり、たとえば、１０７．５％ＲＬ以下、１０５．０％ＲＬ以下、１０２．５％ＲＬ以下、または１０２．０％ＲＬ以下などであることが可能である。ＲＵは、本明細書で説明されているＲＵの最大値および最小値のいずれかの間の（および、それらを含む）範囲の中にあることが可能であるということが理解されるべきである。この態様では、切頭円錐形状のボア１５２０の直径は、ボアがバックアップリング１４０４の本体部１４２０の第１の端部１４２２からバックアップリング１４０４の本体部１４２０の第２の端部１４２４へ横断させられるにつれて、内向きに膨張することが可能である。
【００４９】
図１４に示されているように、バックアップリング１４０４がスプリングエネルギー式シール１４０２の中に据え付けられているときには、バックアップリング１４０４が、スプリングエネルギー式シール１４０２の中へ少なくとも部分的に延在することが可能である。具体的には、バックアップリング１４０４の本体部１４２０の切頭円錐形状のエクステンション１４２８は、スプリングエネルギー式シール１４０２のジャケット１４０８の本体部１４１０の中に形成された切頭円錐形状のボア１４９０の中へフィットすることが可能である。
【００５０】
バックアップリング１４０４およびスプリングエネルギー式シール１４０２の形状は、スプリングエネルギー式シール１４０２の中に据え付けられているシャフト（たとえば、ポンプシャフト）が長手方向軸線１４０６に沿って往復運動するときに、スプリングエネルギー式シール１４０２が長手方向に屈曲することを可能にするように適合されているということが認識され得る。スプリングエネルギー式シール１４０２は、シャフトが往復運動するときに、ジャケット１４０８がバックアップリング１４０４に対して移動することを可能にするように適合されている。具体的には、ジャケット１４０８およびスプリング１４５６は、シャフトによるトラベルの方向にシャフトが往復運動するときに、シャフトおよびハウジングとの適正な接触状態にジャケット１４０８のシーリング部分をスプリング１４５６の周りに維持しながら、ならびに、シールアッセンブリ１４００の中の適正なアライメントでスプリング１４５６を維持しながら、わずかに移動することが可能である。
【００５１】
ここで図１６および図１７を参照すると、別のシールアッセンブリが図示されており、全体的に１６００で指定されている。示されているように、シールアッセンブリ１６００は、スプリングエネルギー式シール１６０２およびバックアップリング１６０４を含むことが可能である。特定の態様において、および、より詳細に下記に説明されているように、バックアップリング１６０４は、スプリングエネルギー式シール１６０２の中に少なくとも部分的にフィットしている。そのうえ、シールアッセンブリ１６００は、長手方向軸線１６０６を定義することが可能である。
【００５２】
図１６および図１７に示されているように、スプリングエネルギー式シール１６０２は、本体部１６１０を有するジャケット１６０８を含むことが可能であり、ジャケット１６０８の本体部１６１０は、第１の端部１６１２および第２の端部１６１４を含むことが可能である。さらに、本体部１６１０は、ヘッド１６１６を含むことが可能であり、ヘッド１６１６は、本体部１６１０の第１の端部１６１２に隣接してまたはその近くに、本体部１６１０の上に形成されている。そのうえ、ジャケット１６０８の本体部１６１０は、エクステンション１６１８を含むことが可能であり、エクステンション１６１８は、長手方向軸線１６０６に対して実質的に平行の方向にヘッド１６１６から離れるように延在することが可能である。
【００５３】
また、図１６および図１７は、バックアップリング１６０４が本体部１６２０を含むことが可能であり、本体部１６２０が第１の端部１６２２および第２の端部１６２４を含むことを示している。本体部１６２０は、ヘッド１６２６を含むことが可能であり、ヘッド１６２６は、本体部１６２０の第１の端部１６２２に隣接してまたはその近くに、本体部１６２０の上に形成されている。追加的に、本体部１６２０は、エクステンション１６２８を含むことが可能であり、エクステンション１６２８は、長手方向軸線１６０６に対して実質的に平行の方向にヘッド１６２６から離れるように延在することが可能である。特定の態様において、バックアップリング１６０４のエクステンション１６２８は、形状が概して切頭円錐形状になっていることが可能である。
【００５４】
図１６および図１７に図示されているように、スプリングエネルギー式シール１６０２の本体部１１０のエクステンション１６１８は、本体部１６１０の第２の端部１６１４に形成されたシーリング部分１６５０を含むことが可能である。シーリング部分１６５０は、内側エクステンション部分１６５２および外側エクステンション部分１６５４を含むことが可能である。さらに、シーリング部分１６５０は、環状スプリングポケット１６５１を含むことが可能であり、環状スプリングポケット１６５１は、内側エクステンション部分１６５２と外側エクステンション部分１６５４との間に形成されている。スプリングエネルギー式シール１６０２は、環状スプリング１６５６をさらに含むことが可能であり、環状スプリング１６５６は、環状スプリングポケット１６５１の中に配設されている。
【００５５】
特定の態様において、スプリングエネルギー式シール１６０２は、ギャップＧを有することが可能であり、ギャップＧは、内側エクステンション部分１６５２の底部と、スプリングエネルギー式シール１６０２のジャケット１６０８の本体部１６１０の第２の端部１６１４の底部表面との間で測定される。スプリングエネルギー式シール１６０２の全体的な高さＨと比較されるときに、Ｇは、２５．０％Ｈ以下であることが可能である。そのうえ、Ｇは、２２．５％Ｈ以下であることが可能であり、たとえば、２０．０％Ｈ以下、１７．５％Ｈ以下、１５．０％Ｈ以下、１２．５％Ｈ以下、または１０．０％Ｈ以下などであることが可能である。別の態様において、Ｇは、２．５％Ｈ以上であることが可能であり、たとえば、５．０％Ｈ以上、７．５％Ｈ以上、８．０％Ｈ以上、８．５％Ｈ以上、９．０％Ｈ以上、または９．５％Ｈ以上などであることが可能である。Ｇは、本明細書で説明されているＧの最大値または最小値のいずれかの間の（および、それらを含む）範囲の中にあることが可能であるということが理解されるべきである。
【００５６】
図１６および図１７は、スプリングエネルギー式シール１６０２の本体部１６１０が内部表面１６６０および外部表面１６６２をさらに含むことが可能であるということをさらに示している。内部表面１６６０は、本体部１６１０の第１の端部１６１２から本体部の第２の端部１６１４へ延在することが可能であり、また、平坦な第１の部分１６６４を含むことが可能であり、平坦な第１の部分１６６４は、スプリングエネルギー式シール１６０２のジャケット１６０８の本体部１６１０の第１の端部１６１２から、概して下向きにおよび内向きに延在することが可能である。そのうえ、内部表面１６６０は、平坦な第２の部分１６６６を含むことが可能であり、平坦な第２の部分１６６６は、ジャケット１６０８の本体部１６１０の内部表面１６６０の平坦な第１の部分１６６４から、概して下向きにおよび内向きに延在することが可能である。湾曲した第３の部分１６６８は、平坦な第２の部分１６６６から延在することが可能であり、内側エクステンション部分１６５２の端部において終端することが可能である。
【００５７】
特定の態様において、平坦な第２の部分１６６６は、長手方向軸線１６０６に関して角度αで形成され得る。たとえば、αは、４０°以上であることが可能である。さらに、αは、４５°以上であることが可能であり、たとえば、５０°以上、５５°以上、または６０°以上などであることが可能である。別の態様において、αは、８０°以下であることが可能であり、たとえば、７５°以下、７０°以下、または６５°以下などであることが可能である。αは、本明細書で説明されているαの最小値と最大値との間の（および、それらを含む）範囲の中にあることが可能であるということが理解されるべきである。
【００５８】
別の態様において、平坦な第２の部分１６６６は、スプリングアッセンブリ１６００の長手方向軸線１６０６に関して角度βで形成され得る。特定の態様において、βは、５°以上であることが可能である。さらに、βは、９°以上であることが可能であり、たとえば、１０°以上、１１°以上、１２°以上、または１３°以上などであることが可能である。別の態様において、βは、２０°以下であることが可能であり、たとえば、１７°以下、１６°以下、１５°以下、または１４°以下などであることが可能である。βは、本明細書で説明されているβの最小値と最大値との間の（および、それらを含む）範囲の中にあることが可能であるということが理解されるべきである。
【００５９】
図１６および図１７にさらに図示されているように、スプリングエネルギー式シール１６０２のジャケット１６０８の本体部１６１０の外部表面１６６２は、平坦な第１の部分１６８０を含むことが可能であり、平坦な第１の部分１６８０は、スプリングアッセンブリ１６００の長手方向軸線１６０６に対して実質的に平行に延在することが可能である。平坦な第２の部分１６８２は、第１の部分１６８０から概して内向きに延在することが可能であり、スプリングアッセンブリ１６０６の長手方向軸線１６０６に対して実質的に垂直になっている。平坦な第３の部分１６８４が、スプリングエネルギー式シール１６０２のジャケット１６０８の本体部１６１０のエクステンション１６１８の外部表面１６６２の平坦な第２の部分１６８２に関して角度γで、平坦な第２の部分１６８２から概して下向きに延在することが可能である。特定の態様において、γは、１１０°以上であることが可能である。さらに、γは、１１５°以上であることが可能であり、たとえば、１２０°以上、１２５°以上、または１３０°以上などであることが可能である。別の態様において、γは、１７０°以下であることが可能であり、たとえば、１６５°以下、１６０°以下、または１３５°以下などであることが可能である。γは、本明細書で説明されているγの最小値と最大値との間の（および、それらを含む）範囲の中にあることが可能であるということが理解されるべきである。
【００６０】
スプリングエネルギー式シール１６０２のジャケット１６０８の本体部１６１０の外部表面１６６２は、平坦な第４の部分１６８６をさらに含むことが可能であり、平坦な第４の部分１６８６は、外部表面１６６２の平坦な第３の部分１６８４から概して下向きの方向に延在することが可能である。平坦な第４の部分１６８６は、スプリングアッセンブリ１６００の長手方向軸線１６０６に対して概して平行になっていることが可能である。また、外部表面１６６２は、湾曲した第５の部分１６８８を含むことが可能であり、湾曲した第５の部分１６８８は、スプリングエネルギー式シール１６０２のジャケット１６０の本体部１６１０の外部表面１６６２の平坦な第４の部分１６８６から、概して下向きにおよび外向きに延在することが可能である。外部表面１６２の湾曲した第５の部分１６８８は、エクステンション１６１８の第２の端部１６１４において終端することが可能である。図示されているように、概して切頭円錐形状のボア１６９０は、スプリングエネルギー式シール１６０２のジャケット１６０８の本体部１６１０の中に形成され得り、スプリングエネルギー式シール１６０２のジャケット１６０８の本体部１６１０の内部表面１６６０の第１および第２の部分１６６４、１６６６によって境界を定められ得る。
【００６１】
図１６および図１７は、バックアップリング１６０４の本体部１６２０が内部表面１７０２を含むことが可能であり、内部表面１７０２が本体部１６２０の第１の端部１６２２から本体部１６２０の第２の端部１６２４へ延在することが可能であるということをさらに示している。さらに、バックアップリング１６０４の本体部１６２０は、外部表面１７０４を含むことが可能であり、外部表面１７０４は、本体部１６２０の第１の端部１６２２から本体部１６２０の第２の端部１６２４へ延在することが可能である。特定の態様において、バックアップリング１６０４の本体部１６２０の内部表面１７０２は、長手方向軸線１６０６に関して角度δで形成され得る。特定の態様において、δは、０．２５°以上であることが可能である。さらに、δは、０．５°以上であることが可能であり、たとえば、０．７５°以上、１．０°以上、１．５°以上、２．０°以上、２．５°以上、または３°以上などであることが可能である。別の態様において、δは、１０°以下であることが可能であり、たとえば、７．５°以下、５．０°以下、または３．５°以下などであることが可能である。δは、本明細書で説明されているδの最小値と最大値との間の（および、それらを含む）範囲の中にあることが可能であるということが理解されるべきである。
【００６２】
図１６および図１７に図示されているように、バックアップリング１６０４の本体部１６２０の外部表面１７０４は、平坦な第１の部分１７０６を含むことが可能であり、平坦な第１の部分１７０６は、スプリングアッセンブリ１６００の長手方向軸線１６０６に対して実質的に平行になっている。平坦な第２の部分１７０８は、平坦な第１の部分１７０６から内向きに延在することが可能であり、スプリングアッセンブリ１６００の長手方向軸線１６０６に実質的に対して垂直になっていることが可能である。外部表面１７０４は、平坦な第３の部分１７１０を含むことが可能であり、平坦な第３の部分１７１０は、バックアップリング１６０４の本体部１６２０の外部表面１７０４の平坦な第２の部分１７０８から、概して下向きにおよび内向きに延在することが可能である。平坦な第３の部分１７１０は、バックアップリング１６０４の本体部１６２０の第２の端部１６２４において終端することが可能である。
【００６３】
特定の態様において、平坦な第３の部分１７１０は、平坦な第２の部分１７０８に関して角度εで形成され得る。特定の態様において、εは、９５°以上であることが可能である。さらに、εは、１００°以上であることが可能であり、たとえば、１０５°以上または１１０°以上などであることが可能である。別の態様において、εは、１３０°以下であることが可能であり、たとえば、１２５°以下、１２０°以下、または１１５°以下などであることが可能である。εは、本明細書で説明されているεの最小値と最大値との間の（および、それらを含む）範囲の中にあることが可能であるということが理解されるべきである。
【００６４】
図１６および図１７に示されているように、バックアップリング１６０４の本体部１６２０内部表面１７０２は、バックアップリング１６０４の本体部１６２０の外部表面１７０４の平坦な第３の部分１７１０に関して角度θで形成することが可能である。とりわけ、θは、３０°以上であることが可能である。さらに、θは、３５°以上であることが可能であり、たとえば、４０°以上、４５°以上、５０°以上、または５５°以上などであることが可能である。別の態様において、θは、８０°以下であることが可能であり、たとえば、７５°以下、７０°以下、６５°以下、または６０°以下などであることが可能である。θは、本明細書で説明されているθの最小値と最大値との間の（および、それらを含む）範囲の中にあることが可能であるということが理解されるべきである。
【００６５】
図１６および図１７は、切頭円錐形状のボア１７２０がバックアップリング１６０４の本体部１６２０の中に形成され得るということを示している。バックアップリング１６０４の本体部１６２０の中の切頭円錐形状のボア１７２０は、バックアップリング１６０４の本体部１６２０の内部表面１７０２によって境界を定められ得る。切頭円錐形状のボア１７２０は、バックアップリング１６０４の第１の端部１６２２において測定される上側半径ＲＵを有することが可能であり、また、バックアップリング１６０４の第２の端部１６２４において測定される下側半径ＲＬを有することが可能である。特定の態様において、ＲＵは、ＲＬ未満であることが可能である。とりわけ、ＲＵは、９９．７５％ＲＬ以下であることが可能である。さらに、ＲＵは、９９．５％ＲＬ以下であることが可能であり、たとえば、９９．２５％ＲＬ以下、９９．０％ＲＬ以下、９８．７５％ＲＬ以下、９８．５％ＲＬ以下、または９８．２５％ＲＬ以下などであることが可能である。別の態様において、ＲＵは、９０．０％ＲＬ以上であることが可能であり、たとえば、９２．５％ＲＬ以上、９５．０％ＲＬ以上、９７．５％ＲＬ以上、または９８．０％ＲＬ以上などであることが可能である。ＲＵは、本明細書で説明されているＲＵの最大値および最小値のいずれかの間の（および、それらを含む）範囲の中にあることが可能であるということが理解されるべきである。示されているように、切頭円錐形状のボア１７２０の直径は、ボアがバックアップリング１６０４の本体部１６２０の第１の端部１６２２からバックアップリング１６０４の本体部１６２０の第２の端部１６２４へ横断させられるにしたがって、外向きに膨張することが可能である。
【００６６】
別の態様において、ＲＵは、ＲＬ超であることが可能である。とりわけ、ＲＵは、１００．２５％ＲＬ以上であることが可能である。さらに、ＲＵは、１００．５％ＲＬ以上であることが可能であり、たとえば、１００．７５％ＲＬ以上、１０１．０％ＲＬ以上、１０１．２５％ＲＬ以上、１０１．５％ＲＬ以上、または１０１．７５％ＲＬ以上などであることが可能である。別の態様において、ＲＵは、１１０．０％ＲＬ以下であることが可能であり、たとえば、１０７．５％ＲＬ以下、１０５．０％ＲＬ以下、１０２．５％ＲＬ以下、または１０２．０％ＲＬ以下などであることが可能である。ＲＵは、本明細書で説明されているＲＵの最大値および最小値のいずれかの間の（および、それらを含む）範囲の中にあることが可能であるということが理解されるべきである。この態様では、切頭円錐形状のボア１７２０の直径は、ボアがバックアップリング１６０４の本体部１６２０の第１の端部１６２２からバックアップリング１６０４の本体部１６２０の第２の端部１６２４へ横断させられるにつれて、内向きに膨張することが可能である。
【００６７】
図１６に示されているように、バックアップリング１６０４がスプリングエネルギー式シール１６０２の中に据え付けられているときには、バックアップリング１６０４が、スプリングエネルギー式シール１６０２の中へ少なくとも部分的に延在することが可能である。具体的には、バックアップリング１６０４の本体部１６２０の切頭円錐形状のエクステンション１６２８は、スプリングエネルギー式シール１６０２のジャケット１６０８の本体部１６１０の中に形成された切頭円錐形状のボア１６９０の中へフィットすることが可能である。
【００６８】
バックアップリング１６０４およびスプリングエネルギー式シール１６０２の形状は、スプリングエネルギー式シール１６０２の中に据え付けられているシャフトが長手方向軸線１６０６に沿って往復運動するときに、スプリングエネルギー式シール１６０２が長手方向に屈曲することを可能にするように適合されているということが認識され得る。スプリングエネルギー式シール１６０２は、シャフトが往復運動するときに、ジャケット１６０８がバックアップリング１６０４に対して移動することを可能にするように適合されている。具体的には、ジャケット１６０８およびスプリング１６５６は、シャフトによるトラベルの方向にシャフトが往復運動するときに、シャフトおよびハウジングとの適正な接触状態にジャケット１６０８のシーリング部分をスプリング１６５６の周りに維持しながら、ならびに、シールアッセンブリ１６００の中の適正なアライメントでスプリング１６５６を維持しながら、わずかに移動することが可能である。
【００６９】
ここで図１８および図１９を参照すると、別のシールアッセンブリが図示されており、全体的に１８００で指定されている。示されているように、シールアッセンブリ１８００は、スプリングエネルギー式シール１８０２およびバックアップリング１８０４を含むことが可能である。特定の態様において、および、より詳細に下記に説明されているように、バックアップリング１８０４は、スプリングエネルギー式シール１８０２の中に少なくとも部分的にフィットしている。そのうえ、シールアッセンブリ１８００は、長手方向軸線１８０６を定義することが可能である。
【００７０】
図１８および図１９に示されているように、スプリングエネルギー式シール１８０２は、本体部１８１０を有するジャケット１８０８を含むことが可能であり、ジャケット１８０８の本体部１８１０は、第１の端部１８１２および第２の端部１８１４を含むことが可能である。さらに、本体部１８１０は、ヘッド１８１６を含むことが可能であり、ヘッド１８１６は、本体部１８１０の第１の端部１８１２に隣接してまたはその近くに、本体部１８１０の上に形成されている。そのうえ、ジャケット１８０８の本体部１８１０は、エクステンション１８１８を含むことが可能であり、エクステンション１８１８は、長手方向軸線１８０６に対して実質的に平行の方向にヘッド１８１６から離れるように延在することが可能である。
【００７１】
また、図１８および図１９は、バックアップリング１８０４が本体部１８２０を含むことが可能であり、本体部１８２０が第１の端部１８２２および第２の端部１８２４を含むことを示している。本体部１８２０は、ヘッド１８２６を含むことが可能であり、ヘッド１８２６は、本体部１８２０の第１の端部１８２２に隣接してまたはその近くに、本体部１８２０の上に形成されている。追加的に、本体部１８２０は、エクステンション１８２８を含むことが可能であり、エクステンション１８２８は、長手方向軸線１８０６に対して実質的に平行の方向にヘッド１８２６から離れるように延在することが可能である。特定の態様において、バックアップリング１８０４のエクステンション１８２８は、形状が概して切頭円錐形状になっていることが可能である。
【００７２】
図１８および図１９に図示されているように、スプリングエネルギー式シール１８０２の本体部１１０のエクステンション１８１８は、本体部１８１０の第２の端部１８１４に形成されたシーリング部分１８５０を含むことが可能である。シーリング部分１８５０は、内側エクステンション部分１８５２および外側エクステンション部分１９４を含むことが可能である。さらに、シーリング部分１８５０は、環状スプリングポケット１８５１を含むことが可能であり、環状スプリングポケット１８５１は、内側エクステンション部分１８５２と外側エクステンション部分１８５４との間に形成されている。スプリングエネルギー式シール１８０２は、環状スプリング１８５６をさらに含むことが可能であり、環状スプリング１８５６は、環状スプリングポケット１８５１の中に配設されている。
【００７３】
特定の態様において、スプリングエネルギー式シール１８０２は、ギャップＧを有することが可能であり、ギャップＧは、内側エクステンション部分１８５２の底部と、スプリングエネルギー式シール１８０２のジャケット１８０８の本体部１８１０の第２の端部１８１４の底部表面との間で測定される。スプリングエネルギー式シール１８０２の全体的な高さＨと比較されるときに、Ｇは、２５．０％Ｈ以下であることが可能である。そのうえ、Ｇは、２２．５％Ｈ以下であることが可能であり、たとえば、２０．０％Ｈ以下、１９．５％Ｈ以下、１５．０％Ｈ以下、１２．５％Ｈ以下、または１０．０％Ｈ以下などであることが可能である。別の態様において、Ｇは、２．５％Ｈ以上であることが可能であり、たとえば、５．０％Ｈ以上、７．５％Ｈ以上、８．０％Ｈ以上、８．５％Ｈ以上、９．０％Ｈ以上、または９．５％Ｈ以上などであることが可能である。Ｇは、本明細書で説明されているＧの最大値または最小値のいずれかの間の（および、それらを含む）範囲の中にあることが可能であるということが理解されるべきである。
【００７４】
図１８および図１９は、スプリングエネルギー式シール１８０２の本体部１８１０が内部表面１８６０および外部表面１８６２をさらに含むことが可能であるということをさらに示している。内部表面１８６０は、本体部１８１０の第１の端部１８１２から本体部の第２の端部１８１４へ延在することが可能であり、また、平坦な第１の部分１８６４を含むことが可能であり、平坦な第１の部分１８６４は、スプリングエネルギー式シール１８０２のジャケット１８０８の本体部１８１０の第１の端部１８１２から、概して下向きにおよび内向きに延在することが可能である。そのうえ、内部表面１８６０は、平坦な第２の部分１８６６を含むことが可能であり、平坦な第２の部分１８６６は、ジャケット１８０８の本体部１８１０の内部表面１８６０の平坦な第１の部分１８６４から、概して下向きにおよび内向きに延在することが可能である。湾曲した第３の部分１８６８は、平坦な第２の部分１８６６から延在することが可能であり、内側エクステンション部分１８５２の端部において終端することが可能である。
【００７５】
特定の態様において、平坦な第２の部分１８６６は、長手方向軸線１８０６に関して角度αで形成され得る。たとえば、αは、４０°以上であることが可能である。さらに、αは、４５°以上であることが可能であり、たとえば、５０°以上、５５°以上、６０°以上、または６１°以上などであることが可能である。別の態様において、αは、８０°以下であることが可能であり、たとえば、７５°以下、７０°以下、または６５°以下などであることが可能である。αは、本明細書で説明されているαの最小値と最大値との間の（および、それらを含む）範囲の中にあることが可能であるということが理解されるべきである。
【００７６】
別の態様において、平坦な第２の部分１８６６は、スプリングアッセンブリ１８００の長手方向軸線１８０６に関して角度βで形成され得る。特定の態様において、βは、５°以上であることが可能である。さらに、βは、１０°以上であることが可能であり、たとえば、１５°以上または２０°以上などであることが可能である。別の態様において、βは、４０°以下であることが可能であり、たとえば、３５°以下、３０°以下、または２５°以下などであることが可能である。βは、本明細書で説明されているβの最小値と最大値との間の（および、それらを含む）範囲の中にあることが可能であるということが理解されるべきである。
【００７７】
図１８および図１９にさらに図示されているように、スプリングエネルギー式シール１８０２のジャケット１８０８の本体部１８１０の外部表面１８６２は、平坦な第１の部分１８８０を含むことが可能であり、平坦な第１の部分１８８０は、スプリングアッセンブリ１８００の長手方向軸線１８０６に対して実質的に平行に延在することが可能である。平坦な第２の部分１８８２は、第１の部分１８８０から概して内向きに延在することが可能であり、スプリングアッセンブリ１８０６の長手方向軸線１８０６に対して実質的に垂直になっている。平坦な第３の部分１８８４が、スプリングエネルギー式シール１８０２のジャケット１８０８の本体部１８１０のエクステンション１８１８の外部表面１８６２の平坦な第２の部分１８８２に関して角度γで、平坦な第２の部分１８８２から概して下向きに延在することが可能である。特定の態様において、γは、１１０°以上であることが可能である。さらに、γは、１１５°以上であることが可能であり、たとえば、１２０°以上、１２５°以上、または１３０°以上などであることが可能である。別の態様において、γは、１９０°以下であることが可能であり、たとえば、１８５°以下、１８０°以下、または１３５°以下などであることが可能である。γは、本明細書で説明されているγの最小値と最大値との間の（および、それらを含む）範囲の中にあることが可能であるということが理解されるべきである。
【００７８】
スプリングエネルギー式シール１８０２のジャケット１８０８の本体部１８１０の外部表面１８６２は、平坦な第４の部分１８８６をさらに含むことが可能であり、平坦な第４の部分１８８６は、外部表面１８６２の平坦な第３の部分１８８４から概して下向きの方向に延在することが可能である。平坦な第４の部分１８８６は、スプリングアッセンブリ１８００の長手方向軸線１８０６に対して概して平行になっていることが可能である。また、外部表面１８６２は、湾曲した第５の部分１８８８を含むことが可能であり、湾曲した第５の部分１８８８は、スプリングエネルギー式シール１８０２のジャケット１８０の本体部１８１０の外部表面１８６２の平坦な第４の部分１８８６から、概して下向きにおよび外向きに延在することが可能である。外部表面１８２の湾曲した第５の部分１８８８は、エクステンション１８１８の第２の端部１８１４において終端することが可能である。図示されているように、概して切頭円錐形状のボア１８９０は、スプリングエネルギー式シール１８０２のジャケット１８０８の本体部１８１０の中に形成され得り、スプリングエネルギー式シール１８０２のジャケット１８０８の本体部１８１０の内部表面１８６０の第１および第２の部分１８６４、１８６６によって境界を定められ得る。
【００７９】
図１８および図１９は、バックアップリング１８０４の本体部１８２０が内部表面１９０２を含むことが可能であり、内部表面１９０２が本体部１８２０の第１の端部１８２２から本体部１８２０の第２の端部１８２４へ延在することが可能であるということをさらに示している。さらに、バックアップリング１８０４の本体部１８２０は、外部表面１９０４を含むことが可能であり、外部表面１９０４は、本体部１８２０の第１の端部１８２２から本体部１８２０の第２の端部１８２４へ延在することが可能である。特定の態様において、バックアップリング１８０４の本体部１８２０の内部表面１９０２は、長手方向軸線１８０６に関して角度δで形成され得る。特定の態様において、δは、０．２５°以上であることが可能である。さらに、δは、０．５°以上であることが可能であり、たとえば、０．７５°以上、１．０°以上、１．５°以上、２．０°以上、２．５°以上、または３°以上などであることが可能である。別の態様において、δは、１０°以下であることが可能であり、たとえば、７．５°以下、５．０°以下、または３．５°以下などであることが可能である。δは、本明細書で説明されているδの最小値と最大値との間の（および、それらを含む）範囲の中にあることが可能であるということが理解されるべきである。
【００８０】
図１８および図１９に図示されているように、バックアップリング１８０４の本体部１８２０の外部表面１９０４は、平坦な第１の部分１９０６を含むことが可能であり、平坦な第１の部分１９０６は、スプリングアッセンブリ１８００の長手方向軸線１８０６に対して実質的に平行になっている。平坦な第２の部分１９０８は、平坦な第１の部分に関して所定の角度で、平坦な第１の部分１９０６から概して下向きにおよび内向きに延在することが可能である。平坦な第２の部分１９０８は、バックアップリング１８０４の本体部１８２０の第２の端部１８２４において終端することが可能である。
【００８１】
図１８および図１９に示されているように、バックアップリング１８０４の本体部１８２０内部表面１９０２は、バックアップリング１８０４の本体部１８２０の外部表面１９０４の平坦な第３の部分１９１０に関して角度θで形成することが可能である。とりわけ、θは、３０°以上であることが可能である。さらに、θは、３５°以上であることが可能であり、たとえば、４０°以上、４５°以上、５０°以上、５５°以上、または５８°以上などであることが可能である。別の態様において、θは、８０°以下であることが可能であり、たとえば、７５°以下、７０°以下、６５°以下、または６０°以下などであることが可能である。θは、本明細書で説明されているθの最小値と最大値との間の（および、それらを含む）範囲の中にあることが可能であるということが理解されるべきである。
【００８２】
図１８および図１９は、切頭円錐形状のボア１９２０がバックアップリング１８０４の本体部１８２０の中に形成され得るということを示している。バックアップリング１８０４の本体部１８２０の中の切頭円錐形状のボア１９２０は、バックアップリング１８０４の本体部１８２０の内部表面１９０２によって境界を定められ得る。切頭円錐形状のボア１９２０は、バックアップリング１８０４の第１の端部１８２２において測定される上側半径ＲＵを有することが可能であり、また、バックアップリング１８０４の第２の端部１８２４において測定される下側半径ＲＬを有することが可能である。特定の態様において、ＲＵは、ＲＬ未満であることが可能である。とりわけ、ＲＵは、９９．７５％ＲＬ以下であることが可能である。さらに、ＲＵは、９９．５％ＲＬ以下であることが可能であり、たとえば、９９．２５％ＲＬ以下、９９．０％ＲＬ以下、９８．７５％ＲＬ以下、９８．５％ＲＬ以下、または９８．２５％ＲＬ以下などであることが可能である。別の態様において、ＲＵは、９０．０％ＲＬ以上であることが可能であり、たとえば、９２．５％ＲＬ以上、９５．０％ＲＬ以上、９７．５％ＲＬ以上、または９８．０％ＲＬ以上などであることが可能である。ＲＵは、本明細書で説明されているＲＵの最大値および最小値のいずれかの間の（および、それらを含む）範囲の中にあることが可能であるということが理解されるべきである。示されているように、切頭円錐形状のボア１９２０の直径は、ボアがバックアップリング１８０４の本体部１８２０の第１の端部１８２２からバックアップリング１８０４の本体部１８２０の第２の端部１８２４へ横断させられるにしたがって、外向きに膨張することが可能である。
【００８３】
別の態様において、ＲＵは、ＲＬ超であることが可能である。とりわけ、ＲＵは、１００．２５％ＲＬ以上であることが可能である。さらに、ＲＵは、１００．５％ＲＬ以上であることが可能であり、たとえば、１００．７５％ＲＬ以上、１０１．０％ＲＬ以上、１０１．２５％ＲＬ以上、１０１．５％ＲＬ以上、または１０１．７５％ＲＬ以上などであることが可能である。別の態様において、ＲＵは、１１０．０％ＲＬ以下であることが可能であり、たとえば、１０７．５％ＲＬ以下、１０５．０％ＲＬ以下、１０２．５％ＲＬ以下、または１０２．０％ＲＬ以下などであることが可能である。ＲＵは、本明細書で説明されているＲＵの最大値および最小値のいずれかの間の（および、それらを含む）範囲の中にあることが可能であるということが理解されるべきである。この態様では、切頭円錐形状のボア１９２０の直径は、ボアがバックアップリング１８０４の本体部１８２０の第１の端部１８２２からバックアップリング１８０４の本体部１８２０の第２の端部１８２４へ横断させられるにつれて、内向きに膨張することが可能である。
【００８４】
図１８に示されているように、バックアップリング１８０４がスプリングエネルギー式シール１８０２の中に据え付けられているときには、バックアップリング１８０４が、スプリングエネルギー式シール１８０２の中へ少なくとも部分的に延在することが可能である。具体的には、バックアップリング１８０４の本体部１８２０の切頭円錐形状のエクステンション１８２８は、スプリングエネルギー式シール１８０２のジャケット１８０８の本体部１８１０の中に形成された切頭円錐形状のボア１８９０の中へフィットすることが可能である。
【００８５】
バックアップリング１８０４およびスプリングエネルギー式シール１８０２の形状は、スプリングエネルギー式シール１８０２の中に据え付けられているシャフトが長手方向軸線１８０６に沿って往復運動するときに、スプリングエネルギー式シール１８０２が長手方向に屈曲することを可能にするように適合されているということが認識され得る。スプリングエネルギー式シール１８０２は、シャフトが往復運動するときに、ジャケット１８０８がバックアップリング１８０４に対して移動することを可能にするように適合されている。具体的には、ジャケット１８０８およびスプリング１８５６は、シャフトによるトラベルの方向にシャフトが往復運動するときに、シャフトおよびハウジングとの適正な接触状態にジャケット１８０８のシーリング部分をスプリング１８５６の周りに維持しながら、ならびに、シールアッセンブリ１８００の中の適正なアライメントでスプリング１８５６を維持しながら、わずかに移動することが可能である。
【００８６】
図２０および図２１を参照すると、別のシールアッセンブリが図示されており、全体的に２０００で指定されている。示されているように、シールアッセンブリ２０００は、スプリングエネルギー式シール２００２およびバックアップリング２００４を含むことが可能である。特定の態様において、および、より詳細に下記に説明されているように、バックアップリング２００４は、スプリングエネルギー式シール２００２の中に少なくとも部分的にフィットしている。そのうえ、シールアッセンブリ２０００は、長手方向軸線２００６を定義することが可能である。
【００８７】
図２０および図２１に示されているように、スプリングエネルギー式シール２００２は、本体部２０１０を有するジャケット２００８を含むことが可能であり、ジャケット２００８の本体部２０１０は、第１の端部２０１２および第２の端部２０１４を含むことが可能である。さらに、本体部２０１０は、ヘッド２０１６を含むことが可能であり、ヘッド２０１６は、本体部２０１０の第１の端部２０１２に隣接してまたはその近くに、本体部２０１０の上に形成されている。そのうえ、ジャケット２００８の本体部２０１０は、エクステンション２０１８を含むことが可能であり、エクステンション２０１８は、長手方向軸線２００６に対して実質的に平行の方向にヘッド２０１６から離れるように延在することが可能である。
【００８８】
また、図２０および図２１は、バックアップリング２００４が本体部２０２０を含むことが可能であり、本体部２０２０が第１の端部２０２２および第２の端部２０２４を含むことを示している。本体部２０２０は、ヘッド２０２６を含むことが可能であり、ヘッド２０２６は、本体部２０２０の第１の端部２０２２に隣接してまたはその近くに、本体部２０２０の上に形成されている。追加的に、本体部２０２０は、エクステンション２０２８を含むことが可能であり、エクステンション２０２８は、長手方向軸線２００６に対して実質的に平行の方向にヘッド２０２６から離れるように延在することが可能である。特定の態様において、バックアップリング２００４のエクステンション２０２８は、形状が概して切頭円錐形状になっていることが可能である。
【００８９】
図２０および図２１に図示されているように、スプリングエネルギー式シール２００２の本体部２０１０のエクステンション２０１８は、本体部２０１０の第２の端部２０１４に形成されたシーリング部分２０５０を含むことが可能である。シーリング部分２０５０は、内側エクステンション部分２０５２および外側エクステンション部分２１４を含むことが可能である。さらに、シーリング部分２０５０は、環状スプリングポケット２０５１を含むことが可能であり、環状スプリングポケット２０５１は、内側エクステンション部分２０５２と外側エクステンション部分２０５４との間に形成されている。スプリングエネルギー式シール２００２は、環状スプリング２０５６をさらに含むことが可能であり、環状スプリング２０５６は、環状スプリングポケット２０５１の中に配設されている。
【００９０】
特定の態様において、スプリングエネルギー式シール２００２は、ギャップＧを有することが可能であり、ギャップＧは、内側エクステンション部分２０５２の底部と、スプリングエネルギー式シール２００２のジャケット２００８の本体部２０１０の第２の端部２０１４の底部表面との間で測定される。スプリングエネルギー式シール２００２の全体的な高さＨと比較されるときに、Ｇは、２５．０％Ｈ以下であることが可能である。そのうえ、Ｇは、２２．５％Ｈ以下であることが可能であり、たとえば、２０．０％Ｈ以下、２１．５％Ｈ以下、１５．０％Ｈ以下、１２．５％Ｈ以下、または１０．０％Ｈ以下などであることが可能である。別の態様において、Ｇは、２．５％Ｈ以上であることが可能であり、たとえば、５．０％Ｈ以上、７．５％Ｈ以上、８．０％Ｈ以上、８．５％Ｈ以上、９．０％Ｈ以上、または９．５％Ｈ以上などであることが可能である。Ｇは、本明細書で説明されているＧの最大値または最小値のいずれかの間の（および、それらを含む）範囲の中にあることが可能であるということが理解されるべきである。
【００９１】
図２０および図２１は、スプリングエネルギー式シール２００２の本体部１１０が内部表面２０６０および外部表面２０６２をさらに含むことが可能であるということをさらに示している。内部表面２０６０は、本体部２０１０の第１の端部２０１２から本体部の第２の端部２０１４へ延在することが可能であり、また、平坦な第１の部分２０６４を含むことが可能であり、平坦な第１の部分２０６４は、スプリングエネルギー式シール２００２のジャケット２００８の本体部２０１０の第１の端部２０１２から、概して下向きにおよび内向きに延在することが可能である。そのうえ、内部表面２０６０は、湾曲した第２の部分２０６６を含むことが可能であり、湾曲した第２の部分２０６６は、平坦な第１の部分２０６４から延在することが可能であり、内側エクステンション部分２０５２の端部において終端することが可能である。
【００９２】
特定の態様において、平坦な第２の部分２０６６は、長手方向軸線２００６に関して角度αで形成され得る。たとえば、αは、４０°以上であることが可能である。さらに、αは、４５°以上であることが可能であり、たとえば、５０°以上、５５°以上などであることが可能である。別の態様において、αは、８０°以下であることが可能であり、たとえば、７５°以下、７０°以下、６５°以下、または６０°以下などであることが可能である。αは、本明細書で説明されているαの最小値と最大値との間の（および、それらを含む）範囲の中にあることが可能であるということが理解されるべきである。
【００９３】
図２０および図２１にさらに図示されているように、スプリングエネルギー式シール２００２のジャケット２００８の本体部２０１０の外部表面２０６２は、平坦な第１の部分２０８０を含むことが可能であり、平坦な第１の部分２０８０は、スプリングアッセンブリ２０００の長手方向軸線２００６に対して実質的に平行に延在することが可能である。湾曲した第２の部分２０８２は、第１の部分２０８０から概して下向きに延在することが可能であり、スプリングエネルギー式シール２００２のジャケット２００８の本体部２０１０の第２の端部２０１４において終端することが可能である。図示されているように、概して切頭円錐形状のボア２０９０は、スプリングエネルギー式シール２００２のジャケット２００８の本体部２０１０の中に形成され得り、スプリングエネルギー式シール２００２のジャケット２００８の本体部２０１０の内部表面２０６０の第１の部分２０６４によって境界を定められ得る。
【００９４】
図２０および図２１は、バックアップリング２００４の本体部２０２０が内部表面２１０２を含むことが可能であり、内部表面２１０２が本体部２０２０の第１の端部２０２２から本体部２０２０の第２の端部２０２４へ延在することが可能であるということをさらに示している。さらに、バックアップリング２００４の本体部２０２０は、外部表面２１０４を含むことが可能であり、外部表面２１０４は、本体部２０２０の第１の端部２０２２から本体部２０２０の第２の端部２０２４へ延在することが可能である。特定の態様において、バックアップリング２００４の本体部２０２０の内部表面２１０２は、長手方向軸線２００６に関して角度δで形成され得る。特定の態様において、δは、０．２５°以上であることが可能である。さらに、δは、０．５°以上であることが可能であり、たとえば、０．７５°以上、１．０°以上、１．５°以上、２．０°以上、２．５°以上、または３°以上などであることが可能である。別の態様において、δは、１０°以下であることが可能であり、たとえば、７．５°以下、５．０°以下、または３．５°以下などであることが可能である。δは、本明細書で説明されているδの最小値と最大値との間の（および、それらを含む）範囲の中にあることが可能であるということが理解されるべきである。
【００９５】
図２０および図２１に図示されているように、バックアップリング２００４の本体部２０２０の外部表面２１０４は、平坦な第１の部分２１０６を含むことが可能であり、平坦な第１の部分２１０６は、スプリングアッセンブリ２０００の長手方向軸線２００６に対して実質的に平行になっている。平坦な第２の部分２１０８は、平坦な第１の部分に関して所定の角度で、平坦な第１の部分２１０６から概して下向きにおよび内向きに延在することが可能である。平坦な第２の部分２１０８は、バックアップリング２００４の本体部２０２０の第２の端部２０２４において終端することが可能である。
【００９６】
図２０および図２１に示されているように、バックアップリング２００４の本体部２０２０内部表面２１０２は、バックアップリング２００４の本体部２０２０の外部表面２１０４の平坦な第３の部分２１１０に関して角度θで形成することが可能である。とりわけ、θは、３０°以上であることが可能である。さらに、θは、３５°以上であることが可能であり、たとえば、４０°以上、４５°以上、５０°以上、５５°以上などであることが可能である。別の態様において、θは、８０°以下であることが可能であり、たとえば、７５°以下、７０°以下、６５°以下、または６０°以下などであることが可能である。θは、本明細書で説明されているθの最小値と最大値との間の（および、それらを含む）範囲の中にあることが可能であるということが理解されるべきである。
【００９７】
図２０および図２１は、切頭円錐形状のボア２１２０がバックアップリング２００４の本体部２０２０の中に形成され得るということを示している。バックアップリング２００４の本体部２０２０の中の切頭円錐形状のボア２１２０は、バックアップリング２００４の本体部２０２０の内部表面２１０２によって境界を定められ得る。切頭円錐形状のボア２１２０は、バックアップリング２００４の第１の端部２０２２において測定される上側半径ＲＵを有することが可能であり、また、バックアップリング２００４の第２の端部２０２４において測定される下側半径ＲＬを有することが可能である。特定の態様において、ＲＵは、ＲＬ未満であることが可能である。とりわけ、ＲＵは、９９．７５％ＲＬ以下であることが可能である。さらに、ＲＵは、９９．５％ＲＬ以下であることが可能であり、たとえば、９９．２５％ＲＬ以下、９９．０％ＲＬ以下、９８．７５％ＲＬ以下、９８．５％ＲＬ以下、または９８．２５％ＲＬ以下などであることが可能である。別の態様において、ＲＵは、９０．０％ＲＬ以上であることが可能であり、たとえば、９２．５％ＲＬ以上、９５．０％ＲＬ以上、９７．５％ＲＬ以上、または９８．０％ＲＬ以上などであることが可能である。ＲＵは、本明細書で説明されているＲＵの最大値および最小値のいずれかの間の（および、それらを含む）範囲の中にあることが可能であるということが理解されるべきである。示されているように、切頭円錐形状のボア２１２０の直径は、ボアがバックアップリング２００４の本体部２０２０の第１の端部２０２２からバックアップリング２００４の本体部２０２０の第２の端部２０２４へ横断させられるにしたがって、外向きに膨張することが可能である。
【００９８】
別の態様において、ＲＵは、ＲＬ超であることが可能である。とりわけ、ＲＵは、１００．２５％ＲＬ以上であることが可能である。さらに、ＲＵは、１００．５％ＲＬ以上であることが可能であり、たとえば、１００．７５％ＲＬ以上、１０１．０％ＲＬ以上、１０１．２５％ＲＬ以上、１０１．５％ＲＬ以上、または１０１．７５％ＲＬ以上などであることが可能である。別の態様において、ＲＵは、１１０．０％ＲＬ以下であることが可能であり、たとえば、１０７．５％ＲＬ以下、１０５．０％ＲＬ以下、１０２．５％ＲＬ以下、または１０２．０％ＲＬ以下などであることが可能である。ＲＵは、本明細書で説明されているＲＵの最大値および最小値のいずれかの間の（および、それらを含む）範囲の中にあることが可能であるということが理解されるべきである。この態様では、切頭円錐形状のボア２１２０の直径は、ボアがバックアップリング２００４の本体部２０２０の第１の端部２０２２からバックアップリング２００４の本体部２０２０の第２の端部２０２４へ横断させられるにつれて、内向きに膨張することが可能である。
【００９９】
図２０に示されているように、バックアップリング２００４がスプリングエネルギー式シール２００２の中に据え付けられているときには、バックアップリング２００４が、スプリングエネルギー式シール２００２の中へ少なくとも部分的に延在することが可能である。具体的には、バックアップリング２００４の本体部２０２０の切頭円錐形状のエクステンション２０２８は、スプリングエネルギー式シール２００２のジャケット２００８の本体部２０１０の中に形成された切頭円錐形状のボア２０９０の中へフィットすることが可能である。
【０１００】
バックアップリング２００４およびスプリングエネルギー式シール２００２の形状は、スプリングエネルギー式シール２００２の中に据え付けられているシャフトが長手方向軸線２００６に沿って往復運動するときに、スプリングエネルギー式シール２００２が長手方向に屈曲することを可能にするように適合されているということが認識され得る。スプリングエネルギー式シール２００２は、シャフトが往復運動するときに、ジャケット２００８がバックアップリング２００４に対して移動することを可能にするように適合されている。具体的には、ジャケット２００８およびスプリング２０５６は、シャフトによるトラベルの方向にシャフトが往復運動するときに、シャフトおよびハウジングとの適正な接触状態にジャケット２００８のシーリング部分をスプリング２０５６の周りに維持しながら、ならびに、シールアッセンブリ２０００の中の適正なアライメントでスプリング２０５６を維持しながら、わずかに移動することが可能である。
【０１０１】
多くの異なる態様および実施形態が可能である。それらの態様および実施形態のうちのいくつかが本明細書で説明されている。この明細書を読んだ後に、当業者は、それらの態様および実施形態が単なる例示目的のものに過ぎず、本発明の範囲を限定していないということを認識することとなる。実施形態は、下記に列挙されている項目のうちの任意の１つまたは複数にしたがったものであることが可能である。
【０１０２】
実施形態
実施形態１．  高圧ポンプのためのシールアッセンブリであって、シールアッセンブリは、
ヘッドおよびヘッドから延在するエクステンションを有するバックアップリングであって、エクステンションは、ヘッドから離れるように軸線方向に、および、ヘッドから半径方向内向きに延在する内部表面を含む、バックアップリングと；
ジャケットを有するスプリングエネルギー式シールであって、ジャケットは、環状スプリングを備えたシーリング部分を有しており、環状スプリングは、ジャケットのシーリング部分の中に配設されており、ジャケットの少なくとも一部分は、バックアップリングのエクステンションの周りにフィットしており、バックアップリングは、最小内径ＩＤＢＵＲを有しており、スプリングエネルギー式シールは、最小内径ＩＤＳＥＳを有しており、ＩＤＳＥＳは、ＩＤＢＵＲよりも小さい、スプリングエネルギー式シールと
を含む、シールアッセンブリ。
【０１０３】
実施形態２．  高圧ポンプのためのシールアッセンブリであって、シールアッセンブリは、
ヘッドおよびヘッドから延在するエクステンションを有するバックアップリングと；
バックアップリングのエクステンションの周りに少なくとも部分的に配設されているスプリングエネルギー式シールであって、スプリングエネルギー式シールは、ジャケットを含み、ジャケットは、第１の端部に形成されたヘッド、第１の端部から間隔を離して配置されている第２の端部に形成されたシーリング部分、ジャケットの第１の端部とジャケットの第２の端部との間に延在している角度付きの内部表面、および、ジャケットのシーリング部分の中に配設されている環状スプリングを有している、スプリングエネルギー式シールと；
バックアップリングのエクステンションとスプリングエネルギー式シールのジャケットの角度付きの内部表面との間のギャップであって、ギャップは、少なくとも部分的にスプリングエネルギー式シールのジャケットの角度付きの内部表面の長さに沿って延在している、ギャップと
を含む、シールアッセンブリ。
【０１０４】
実施形態３．  高圧ポンプのためのシールアッセンブリであって、シールアッセンブリは、
スプリングエネルギー式シールであって、スプリングエネルギー式シールは、
ジャケットであって、ジャケットは、ジャケットの第１の端部に形成されたヘッド、ジャケットのヘッドから軸線方向に延在している環状リップ部、および、第１の端部から所定の距離におけるジャケットの第２の端部に形成されたシーリング部分を有しており、シーリング部分は、スプリング部分を含む、ジャケット；ならびに、
スプリング部分の中に配設されている環状スプリング
を含む、スプリングエネルギー式シールと；
バックアップリングであって、バックアップリングは、バックアップリングの第１の端部に形成されたヘッド、およびバックアップリングのヘッドから延在している、エクステンションを有している、バックアップリングと；
バックアップリングのヘッドの外部表面とジャケットのヘッドの環状リップ部の内部表面との間において、バックアップリングのヘッドを取り囲む第１のギャップと
を含む、シールアッセンブリ。
【０１０５】
実施形態４．  ＩＤＳＥＳは、９９％ＩＤＢＵＲ以下である、実施形態１に記載のシールアッセンブリ。
【０１０６】
実施形態５．  ＩＤＳＥＳは、９８％ＩＤＢＵＲ以下であり、たとえば、９７％ＩＤＢＵＲ以下、９６％ＩＤＢＵＲ以下、または９５％ＩＤＢＵＲ以下などである、実施形態４に記載のシールアッセンブリ。
【０１０７】
実施形態６．  ＩＤＳＥＳは、８５％ＩＤＢＵＲ以上であり、たとえば、９０％ＩＤＢＵＲ以上、９１％ＩＤＢＵＲ以上、９２％ＩＤＢＵＲ以上、９３％ＩＤＢＵＲ以上、または９４％ＩＤＢＵＲ以上などである、実施形態５に記載のシールアッセンブリ。
【０１０８】
実施形態７．  スプリングエネルギー式シールのシーリング部分は、シャフトおよびハウジングに接触するように適合されており、シャフトは、シールアッセンブリの中に配設されており、シールアッセンブリは、ハウジングの中に据え付けられている、実施形態１から３のいずれか１つに記載のシールアッセンブリ。
【０１０９】
実施形態８．  第１のギャップは、半径方向の幅ＷＦＧを有しており、シールアッセンブリは、外径ＯＤＳＡを有しており、ＷＦＧは、５％ＯＤＳＡ以下である、実施形態３に記載のシールアッセンブリ。
【０１１０】
実施形態９．  ＷＦＧは、４％ＯＤＳＡ以下であり、たとえば、３％ＯＤＳＡ以下、２％ＯＤＳＡ以下、または１％ＯＤＳＡ以下などである、実施形態８に記載のシールアッセンブリ。
【０１１１】
実施形態１０．  ＷＦＧは、０．１％ＯＤＳＡ以上であり、たとえば、０．２％ＯＤＳＡ以上、０．３％ＯＤＳＡ以上、０．４％ＯＤＳＡ以上、０．５％ＯＤＳＡ以上、０．６％ＯＤＳＡ以上、０．７％ＯＤＳＡ以上、０．８％ＯＤＳＡ以上、または０．９％ＯＤＳＡ以上などである、実施形態９に記載のシールアッセンブリ。
【０１１２】
実施形態１１．  第１のギャップは、半径方向の幅ＷＦＧを有しており、ＷＦＧは、０．１ｍｍ以下である、実施形態３に記載のシールアッセンブリ。
【０１１３】
実施形態１２．  ＷＦＧは、０．０９５ｍｍ以下であり、たとえば、０．０９ｍｍ以下、０．０８５ｍｍ以下、０．０８ｍｍ以下、０．０７５ｍｍ以下、０．０７ｍｍ以下、０．０６５ｍｍ以下、または０．０６ｍｍ以下などである、実施形態１１に記載のシールアッセンブリ。
【０１１４】
実施形態１３．  ＷＦＧは、０．０１ｍｍ以上であり、たとえば、０．０１５ｍｍ以上、０．０２ｍｍ以上、０．０２５ｍｍ以上、０．０３ｍｍ以上、０．０３５ｍｍ以上、０．０４ｍｍ以上、０．０４５ｍｍ以上、または０．０５ｍｍ以上などである、実施形態１２に記載のシールアッセンブリ。
【０１１５】
実施形態１４．  バックアップリングの内部表面は、長手方向軸線に関して角度γを形成しており、γは、０．２５°以上である、実施形態１に記載のシールアッセンブリ。
【０１１６】
実施形態１５．  γは、０．５°以上であり、たとえば、０．７５°以上、１．０°以上、１．５°以上、２．０°以上、２．５°以上、または３°以上などである、実施形態１４に記載のシールアッセンブリ。
【０１１７】
実施形態１６．  γは、１０°以下であり、たとえば、７．５°以下、５．０°以下、または３．５°以下などである、実施形態１５に記載のシールアッセンブリ。
【０１１８】
実施形態１７．  バックアップリングのヘッドは、下側表面を含み、ジャケットのヘッドは、バックアップリングのヘッドの下側表面と接触した上側表面を含む、実施形態２または３に記載のシールアッセンブリ。
【０１１９】
実施形態１８．  バックアップリングのヘッドは、最大半径方向の幅ＷＢＵＲを有しており、バックアップリングのヘッドの下側表面は、半径方向の幅ＷＬＳを有しており、ＷＬＳは、ＷＢＵＲよりも小さい、実施形態１７に記載のシールアッセンブリ。
【０１２０】
実施形態１９．  ＷＬＳは、８０％ＷＢＵＲ以下である、実施形態１８に記載のシールアッセンブリ。
【０１２１】
実施形態２０．  ＷＬＳは、７５％ＷＢＵＲ以下であり、たとえば、７０％ＷＢＵＲ以下、６５％ＷＢＵＲ以下、または６０％ＷＢＵＲ以下などである、実施形態１９に記載のシールアッセンブリ。
【０１２２】
実施形態２１．  ＷＬＳは、３０％ＷＢＵＲ以上であり、たとえば、３５％ＷＢＵＲ以上、４０％ＷＢＵＲ以上、４５％ＷＢＵＲ以上、または５０％ＷＢＵＲ以上などである、実施形態２０に記載のシールアッセンブリ。
【０１２３】
実施形態２２．  スプリングエネルギー式シールのジャケットのシーリング部分は、シールアッセンブリの中に据え付けられているシャフトに接触するように適合されており、第２のギャップが、バックアップリングのエクステンションとジャケットとの間に形成されている、実施形態２または３に記載のシールアッセンブリ。
【０１２４】
実施形態２３．  第２のギャップは、長さＬＳＧを有しており、バックアップリングのエクステンションの外部表面は、長さＬＥＳを有しており、ＬＳＧは、１００％ＬＥＳ以下である、実施形態２に記載のシールアッセンブリ。
【０１２５】
実施形態２４．  ＬＳＧは、９５％ＬＥＳ以下であり、たとえば、９０％ＬＥＳ以下、８５％ＬＥＳ以下、８０％ＬＥＳ以下、または７５％ＬＥＳ以下などである、実施形態２３に記載のシールアッセンブリ。
【０１２６】
実施形態２５．  ＬＳＧは、１０％ＬＥＳ以上であり、たとえば、１５％ＬＥＳ以上、２０％ＬＥＳ以上、２５％ＬＥＳ以上、３０％ＬＥＳ以上、３５％ＬＥＳ以上、４０％ＬＥＳ以上、４５％ＬＥＳ以上、または５０％ＬＥＳ以上などである、実施形態２４に記載のシールアッセンブリ。
【０１２７】
実施形態２６．  第１のギャップは、バックアップリングがスプリングエネルギー式シールに対して任意の半径方向に移動することを可能にするように適合されている、実施形態３に記載のシールアッセンブリ。
【０１２８】
実施形態２７．  バックアップリングは、ポリマーを含む、実施形態１から３のいずれか１つに記載のシールアッセンブリ。
【０１２９】
実施形態２８．  バックアップリングは、ポリアリールエーテルケトン（ＰＡＥＫ）を含む、実施形態２７に記載のシールアッセンブリ。
【０１３０】
実施形態２９．  バックアップリングは、ポリエーテルエーテルケトン（ＰＥＥＫ）を含む、実施形態２８に記載のシールアッセンブリ。
【０１３１】
実施形態３０．  スプリングエネルギー式シールのジャケットは、フッ素ポリマーを含む、実施形態１から３のいずれか１つに記載のシールアッセンブリ。
【０１３２】
実施形態３１．  スプリングエネルギー式シールのジャケットは、テトラフルオロエチレンのフッ素ポリマーを含む、実施形態３０に記載のシールアッセンブリ。
【０１３３】
実施形態３２．  スプリングエネルギー式シールのジャケットは、ポリテトラフルオロエチレン（ＰＴＦＥ）を含む、実施形態３１に記載のシールアッセンブリ。
【０１３４】
実施形態３３．  シールアッセンブリは、５，０００ｐｓｉ以上の圧力に耐えるように適合されている、実施形態１から３のいずれか１つに記載のシールアッセンブリ。
【０１３５】
実施形態３４．  圧力は、７，５００ｐｓｉ以上であり、たとえば、１０，０００ｐｓｉ以上、１２，５００ｐｓｉ以上、または１５，０００ｐｓｉ以上などである、実施形態３３に記載のシールアッセンブリ。
【０１３６】
実施形態３５．  圧力は、３０，０００ｐｓｉ以下であり、たとえば、２７，５００ｐｓｉ以下、２５，０００ｐｓｉ以下、２２，５００ｐｓｉ以下、または２０，０００ｐｓｉ以下などである、実施形態３４に記載のシールアッセンブリ。
【０１３７】
実施形態３６．  シールアッセンブリは、ジャケットとハウジングとの間に確立される第３のギャップをさらに含み、シールアッセンブリは、ハウジングの中に据え付けられるように構成されている、実施形態２２に記載のシールアッセンブリ。
【０１３８】
実施形態３７．  第３のギャップは、最大ギャップ幅ＷＴＧを含み、ＷＴＧは、０．５ｍｍ以下であり、たとえば、０．４５ｍｍ以下、０．４ｍｍ以下、０．３５ｍｍ以下、０．３ｍｍ以下、０．２５ｍｍ以下、０．２ｍｍ以下、０．１５ｍｍ以下、０．１ｍｍ以下、または０．０５ｍｍ以下などである、実施形態３６に記載のシールアッセンブリ。
【０１３９】
実施形態３８．  ＷＴＧは、０．０１ｍｍ以上であり、たとえば、０．０１５ｍｍ以上、０．０２ｍｍ以上、０．０２５ｍｍ以上、０．０３ｍｍ以上、０．０３５ｍｍ以上、０．０４ｍｍ以上、０．０４５ｍｍ以上、または０．０５ｍｍ以上などである、実施形態３７に記載のシールアッセンブリ。
【０１４０】
実施形態３９．  シールアッセンブリは、バックアップリングのヘッドとハウジングとの間に確立される第４のギャップをさらに含む、実施形態３６に記載のシールアッセンブリ。
【０１４１】
実施形態４０．  第４のギャップは、第４のギャップを通して半径方向に測定されるギャップ幅ＷＦＯＧを含み、ＷＦＯＧは、０．１ｍｍ以下であり、たとえば、０．０９５ｍｍ以下、０．０９ｍｍ以下、０．０８５ｍｍ以下、０．０８ｍｍ以下、０．０７５ｍｍ以下、０．０７ｍｍ以下、０．０６５ｍｍ以下、または０．０６ｍｍ以下などである、実施形態３９に記載のシールアッセンブリ。
【０１４２】
実施形態４１．  ＷＦＯＧは、０．０１ｍｍ以上であり、たとえば、０．０１５ｍｍ以上、０．０２ｍｍ以上、０．０２５ｍｍ以上、０．０３ｍｍ以上、０．０３５ｍｍ以上、０．０４ｍｍ以上、０．０４５ｍｍ以上、または０．０５ｍｍ以上などである、実施形態４０に記載のシールアッセンブリ。
【０１４３】
本明細書、および、本明細書で説明されている実施形態の図示は、さまざまな実施形態の構造の一般的な理解を提供することを意図している。本明細書および図示は、本明細書で説明されている構造または方法を使用する装置およびシステムのエレメントおよび特徴のすべての網羅的で包括的な説明としての役割を果たすことを意図していない。また、別個の実施形態は、単一の実施形態の中で組み合わせて提供され得り、逆に、簡潔化のために単一の実施形態の文脈において説明されているさまざまな特徴は、また、別個にまたは任意のサブコンビネーションで提供され得る。さらに、範囲で記述されている値への参照は、その範囲の中のそれぞれの値およびすべての値を含む。多くの他の実施形態は、本明細書を読んだ後にのみ、当業者に明らかになる可能性がある。他の実施形態が、本開示から使用および導出され得り、構造的な置換、論理的な置換、または別の変更が、本開示の範囲から逸脱することなく行われ得るようになっている。したがって、本開示は、限定的であるというよりもむしろ例示的であると見なされるべきである。利益、他の利点、および、課題に対する解決策は、特定の実施形態に関して上記に説明されてきた。しかし、利益、利点、課題に対する解決策、および、任意の利益、利点、または解決策が起こるかまたはより顕著になることを引き起こすことができる任意の特徴は、任意のまたはすべての請求項の重要な、必要な、または必須の特徴として解釈されるべきではない。
【０１４４】
図と組み合わせた説明は、本明細書で開示されている教示を理解することを支援するために提供されている。以下の議論は、その教示の特定の実装形態および実施形態に焦点を合わせることとなる。この焦点は、その教示を説明することを支援するために提供されており、その教示の範囲または適用可能性に関する限定として解釈されるべきではない。しかし、他の教示も、本出願において確実に使用され得る。
【０１４５】
本明細書で使用されているように、「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」という用語、または、それらの任意の他の変化形は、非排他的な包含をカバーすることを意図している。たとえば、特徴のリストを含む方法、物品、または装置は、必ずしも、それらの特徴のみに限定されるわけではなく、明示的に列挙されていない他の特徴、または、そのような方法、物品、もしくは装置に固有の他の特徴を含むことが可能である。さらに、明示的に反対のことが述べられていない限り、「または」は、包含的な「または」を表しており、排他的な「または」を表していない。たとえば、条件ＡまたはＢは、以下のうちのいずれか１つによって満たされる：Ａは真であり（または、存在している）およびＢは偽である（または、存在していない）；Ａは偽であり（または、存在していない）およびＢは真である（または、存在している）；ならびに、ＡおよびＢの両方が真である（または、存在している）。
【０１４６】
また、「ａ」または「ａｎ」の使用は、本明細書で説明されているエレメントおよびコンポーネントを説明するために用いられている。これは、単に便宜上のために行われており、本発明の範囲の一般的な意味を与えるために行われいている。この説明は、１つまたは少なくとも１つを含むように読まれるべきであり、また、それがそうでないことを意味していることが明確でない限り、単数形は、複数形も含み、また、その逆も同様である。たとえば、単一のアイテムが本明細書で説明されているときに、単一のアイテムの代わりに、２つ以上のアイテムも使用され得る。同様に、２つ以上のアイテムが本明細書で説明されている場合、単一のアイテムが、その２つ以上のアイテムと置換され得る。
【０１４７】
別段の定義がない限り、本明細書で使用されているすべての技術的および科学的な用語は、本発明が属する技術分野の当業者によって一般に理解されるものと同じ意味を有する。材料、方法、および例は、単に例示目的のものに過ぎず、限定することを意図していない。本明細書で説明されていない範囲において、特定の材料および処理行為に関する多くの詳細は、従来のものであり、構造的な技術および対応する製造技術の中の参考文献および他の供給源の中に見出され得る。
【０１４８】
上記に開示されている主題は、例示目的のものであり、限定的ではないと考えられるべきであり、添付の特許請求の範囲は、すべてのそのような修正例、強化例、および、本発明の範囲内に入る他の実施形態をカバーすることを意図している。したがって、法律によって許容される最大範囲において、本発明の範囲は、以下の特許請求の範囲およびそれらの均等物の最も広い許容可能な解釈によって決定されるべきであり、先述の詳細な説明によって制限または限定されないものとする。
【図１】
2021530641.tif 000003
【図２】
2021530641.tif 000004
【図３】
2021530641.tif 000005
【図４】
2021530641.tif 000006
【図５】
2021530641.tif 000007
【図６】
2021530641.tif 000008
【図７】
2021530641.tif 000009
【図８】
2021530641.tif 000010
【図９】
2021530641.tif 000011
【図１０】
2021530641.tif 000012
【図１１】
2021530641.tif 000013
【図１２】
2021530641.tif 000014
【図１３】
2021530641.tif 000015
【図１４】
2021530641.tif 000016
【図１５】
2021530641.tif 000017
【図１６】
2021530641.tif 000018
【図１７】
2021530641.tif 000019
【図１８】
2021530641.tif 000020
【図１９】
2021530641.tif 000021
【図２０】
2021530641.tif 000022
【図２１】
2021530641.tif 000023
【国際調査報告】
2021530641.tif 000024
2021530641.tif 000025